(57)【特許請求の範囲】
【請求項１】
空調装置に適用されるエジェクタ式冷凍サイクルであって、
冷凍機油が混入された冷媒を圧縮して吐出する圧縮機（１１）と、
前記圧縮機から吐出された高圧冷媒を熱源として空調対象空間に送風される送風空気を加熱する加熱用熱交換器（１２）と、
前記加熱用熱交換器下流側の冷媒を減圧させる第１減圧装置（１５ｂ）と、
前記第１減圧装置から流出した冷媒を外気と熱交換させる室外熱交換器（１７）と、
前記加熱用熱交換器下流側の冷媒を減圧させる第２減圧装置（１５ｅ）と、
前記第２減圧装置から流出した冷媒を蒸発させて前記加熱用熱交換器通過前の前記送風空気を冷却する冷却用熱交換器（２１）と、
前記加熱用熱交換器下流側の冷媒を減圧させる加熱側ノズル部（１６ａ）から噴射された加熱側噴射冷媒の吸引作用によって加熱側冷媒吸引口（１６ｃ）から冷媒を吸引し、前記加熱側噴射冷媒と前記加熱側冷媒吸引口から吸引された加熱側吸引冷媒との混合冷媒を昇圧させる加熱側昇圧部（１６ｄ）を有する加熱側エジェクタ（１６）と、
前記加熱側昇圧部から流出した冷媒の気液を分離する加熱側気液分離器（１９）と、
冷媒回路を切り替える冷媒回路切替装置（１３ａ、１３ｂ、１８ａ、１８ｂ）と、を備え、
前記冷媒回路切替装置は、
前記冷却用熱交換器にて冷却された前記送風空気を前記加熱用熱交換器にて再加熱する第１除湿暖房モードでは、前記加熱用熱交換器から流出した冷媒を、前記第１減圧装置→前記室外熱交換器→前記第２減圧装置→前記冷却用熱交換器→前記圧縮機の順に流通させる冷媒回路に切り替え、
前記冷却用熱交換器にて冷却された前記送風空気を前記加熱用熱交換器にて再加熱する第２除湿暖房モードでは、前記加熱用熱交換器から流出した冷媒を、前記第２減圧装置→前記冷却用熱交換器→前記第１減圧装置→前記室外熱交換器→前記圧縮機の順に流通させる冷媒回路に切り替え、
前記送風空気を前記加熱用熱交換器にて加熱する暖房モードでは、前記加熱用熱交換器から流出した冷媒を、前記加熱側ノズル部へ流入させ、前記加熱側気液分離器から流出した気相冷媒を前記圧縮機へ吸入させるとともに、前記加熱側気液分離器から流出した液相冷媒を前記室外熱交換器へ流入させ、前記室外熱交換器から流出した冷媒を前記加熱側冷媒吸引口から吸引させる冷媒回路に切り替えるものであり、
前記第１除湿暖房モード時の前記室外熱交換器における冷媒の流れ方向と前記第２除湿暖房モード時の前記室外熱交換器における冷媒の流れ方向が同一になっており、
前記第１除湿暖房モード時の前記室外熱交換器における冷媒の流れ方向と前記暖房モード時の前記室外熱交換器における冷媒の流れ方向が異なっているエジェクタ式冷凍サイクル。
【請求項２】
前記室外熱交換器の内部に形成される冷媒通路は、前記暖房モード時における冷媒入口側から冷媒出口側へ向かうに伴って通路断面積が縮小している請求項１に記載のエジェクタ式冷凍サイクル。
【請求項３】
さらに、前記加熱用熱交換器下流側の冷媒を減圧させる冷却側ノズル部（２２ａ）から噴射された冷却側噴射冷媒の吸引作用によって冷却側冷媒吸引口（２２ｃ）から冷媒を吸引し、前記冷却側噴射冷媒と前記冷却側冷媒吸引口から吸引された冷却側吸引冷媒との混合冷媒を昇圧させる冷却側昇圧部（２２ｄ）を有する冷却側エジェクタ（２２）と、
前記冷却側昇圧部から流出した冷媒の気液を分離する冷却側気液分離器（２３）と、を備え、
前記冷媒回路切替装置は、
前記送風空気を前記冷却用熱交換器にて冷却する冷房モードでは、前記室外熱交換器から流出した冷媒を、前記冷却側ノズル部へ流入させ、前記冷却側気液分離器から流出した気相冷媒を前記圧縮機へ吸入させるとともに、前記冷却側気液分離器から流出した液相冷媒を前記冷却用熱交換器へ流入させ、前記冷却用熱交換器から流出した冷媒を前記冷却側冷媒吸引口へ吸入させる冷媒回路に切り替えるものであり、
前記第１除湿暖房モード時の前記冷却用熱交換器における冷媒の流れ方向と前記第２除湿暖房モード時の前記冷却用熱交換器における冷媒の流れ方向が同一になっており、
前記第１除湿暖房モード時の前記冷却用熱交換器における冷媒の流れ方向と前記冷房モード時の前記冷却用熱交換器における冷媒の流れ方向が異なっている請求項１または２に記載のエジェクタ式冷凍サイクル。
【請求項４】
空調装置に適用されるエジェクタ式冷凍サイクルであって、
冷凍機油が混入された冷媒を圧縮して吐出する圧縮機（１１）と、
前記圧縮機から吐出された高圧冷媒を熱源として空調対象空間に送風される送風空気を加熱する加熱用熱交換器（１２）と、
前記加熱用熱交換器下流側の冷媒を減圧させる第１減圧装置（１５ｂ）と、
前記第１減圧装置から流出した冷媒を外気と熱交換させる室外熱交換器（１７）と、
前記加熱用熱交換器下流側の冷媒を減圧させる第２減圧装置（１５ｅ）と、
前記第２減圧装置から流出した冷媒を蒸発させて前記加熱用熱交換器通過前の前記送風空気を冷却する冷却用熱交換器（２１）と、
前記加熱用熱交換器下流側の冷媒を減圧させる冷却側ノズル部（２２ａ）から噴射された冷却側噴射冷媒の吸引作用によって冷却側冷媒吸引口（２２ｃ）から冷媒を吸引し、前記冷却側噴射冷媒と前記冷却側冷媒吸引口から吸引された冷却側吸引冷媒との混合冷媒を昇圧させる冷却側昇圧部（２２ｄ）を有する冷却側エジェクタ（２２）と、
前記冷却側昇圧部から流出した冷媒の気液を分離する冷却側気液分離器（２３）と、
冷媒回路を切り替える冷媒回路切替装置（１３ａ、１３ｂ、１８ａ、１８ｂ）と、を備え、
前記冷媒回路切替装置は、
前記冷却用熱交換器にて冷却された前記送風空気を前記加熱用熱交換器にて再加熱する第１除湿暖房モードでは、前記加熱用熱交換器から流出した冷媒を、前記第１減圧装置→前記室外熱交換器→前記第２減圧装置→前記冷却用熱交換器→前記圧縮機の順に流通させる冷媒回路に切り替え、
前記冷却用熱交換器にて冷却された前記送風空気を前記加熱用熱交換器にて再加熱する第２除湿暖房モードでは、前記加熱用熱交換器から流出した冷媒を、前記第２減圧装置→前記冷却用熱交換器→前記第１減圧装置→前記室外熱交換器→前記圧縮機の順に流通させる冷媒回路に切り替え、
前記送風空気を前記冷却用熱交換器にて冷却する冷房モードでは、前記室外熱交換器から流出した冷媒を、前記冷却側ノズル部へ流入させ、前記冷却側気液分離器から流出した気相冷媒を前記圧縮機へ吸入させるとともに、前記冷却側気液分離器から流出した液相冷媒を前記冷却用熱交換器へ流入させ、前記冷却用熱交換器から流出した冷媒を前記冷却側冷媒吸引口から吸引させる冷媒回路に切り替えるものであり、
前記第１除湿暖房モード時の前記冷却用熱交換器における冷媒の流れ方向と前記第２除湿暖房モード時の前記冷却用熱交換器における冷媒の流れ方向が同一になっており、
前記第１除湿暖房モード時の前記冷却用熱交換器における冷媒の流れ方向と前記冷房モード時の前記冷却用熱交換器における冷媒の流れ方向が異なっているエジェクタ式冷凍サイクル。
【請求項５】
前記冷却用熱交換器の内部に形成される冷媒通路は、前記冷房モード時における冷媒入口側から冷媒出口側へ向かうに伴って通路断面積が縮小している請求項３または４に記載のエジェクタ式冷凍サイクル。
【発明の詳細な説明】
【技術分野】
【０００１】
本発明は、エジェクタを備えるエジェクタ式冷凍サイクルに関する。
【背景技術】
【０００２】
従来、特許文献１に、冷媒減圧装置としてエジェクタを備える蒸気圧縮式の冷凍サイクル装置であるエジェクタ式冷凍サイクルが開示されている。
【０００３】
この特許文献１のエジェクタ式冷凍サイクルは、空調装置に適用されている。さらに、特許文献１のエジェクタ式冷凍サイクルは、空調対象空間へ送風される送風空気を冷却する冷房モードの冷媒回路、送風空気を加熱する暖房モードの冷媒回路、冷却して除湿した送風空気を再加熱する弱除湿暖房モードの冷媒回路等を切替可能に構成されている。
【０００４】
より詳細には、特許文献１のエジェクタ式冷凍サイクルでは、弱除湿暖房モード時に、加熱用熱交換器である室内凝縮器、室外熱交換器、冷却用熱交換器である室外蒸発器を冷媒流れに対して直列的に接続する冷媒回路に切り替えている。そして、室内蒸発器にて送風空気を冷却して除湿し、除湿した送風空気を室内凝縮器にて再加熱している。
【０００５】
この冷媒回路では、室外熱交換器における冷媒圧力を調整し、室外熱交換器における冷媒の放熱量を調整することによって、室内凝縮器における送風空気の加熱能力を調整することができる。
【０００６】
また、弱除湿暖房モードでは、室外熱交換器から流出した冷媒を冷却側エジェクタの冷却側ノズル部へ流入させる冷媒回路に切り替えている。そして、冷却側ノズル部から噴射される噴射冷媒の吸引作用によって、室内蒸発器へ冷媒を供給している。さらに、冷却側ディフューザ部にて昇圧された冷媒を圧縮機へ吸入させることによって、サイクルの成績係数（ＣＯＰ）を向上させようとしている。
【先行技術文献】
【特許文献】
【０００７】
【特許文献１】特開２０１４−２０６３６２号公報
【発明の概要】
【発明が解決しようとする課題】
【０００８】
ところが、本発明者等の検討によれば、特許文献１のエジェクタ式冷凍サイクルを実際に作動させると、弱除湿暖房モード時に、送風空気を所望の温度まで昇温させることができないことがあった。そこで、本発明者等がその原因について調査したところ、特許文献１の弱除湿暖房モードでは、室内凝縮器における送風空気の加熱能力を増大させるために、室外熱交換器における冷媒圧力を低下させることが原因であると判った。
【０００９】
その理由は、室外熱交換器における冷媒圧力を低下させると、冷却側ノズル部へ流入する冷媒の圧力も低下してしまうので、冷却側エジェクタが充分な吸引作用を発揮できなくなってしまうからである。そして、室内蒸発器へ冷媒を供給することができなくなり、エジェクタ式冷凍サイクルを適切に作動させることができなくなってしまう。その結果、送風空気を所望の温度まで昇温させることができなくなってしまう。
【００１０】
換言すると、特許文献１の弱除湿暖房モードでは、エジェクタ式冷凍サイクルを適切に作動させるためには、室外熱交換器における冷媒圧力を所定の値以上に維持しておかなければならない。このため、特許文献１の弱除湿暖房モードでは、空調対象空間へ送風される送風空気の温度調整範囲が制限されてしまう。
【００１１】
また、一般的な冷凍サイクル装置では、冷媒に圧縮機を潤滑するための冷凍機油が混入されている。このため、室内蒸発器へ冷媒を供給することができなくなってしまうと、室内蒸発器内に流入した冷凍機油を圧縮機の吸入側へ押し出すことができず、冷凍機油が室内蒸発器内に滞留してしまうおそれがある。
【００１２】
このように冷凍機油が室内蒸発器内に滞留してしまうと、圧縮機へ供給される冷凍機油が減少して圧縮機の耐久性能を悪化させてしまう原因となる。さらに、室内蒸発器の熱交換性能を低下させて、冷房モード等に切り替えた際に室内蒸発器にて発揮させる冷却能力を低下させてしまう原因となる。
【００１３】
本発明は、上記点に鑑み、除湿暖房を行う空調装置に適用されるエジェクタ式冷凍サイクルにおいて、冷凍機油が熱交換器に滞留してしまうことを抑制しつつ、除湿暖房時の送風空気の温度調整範囲を拡大することを目的とする。
【課題を解決するための手段】
【００１４】
上記目的を達成するため、請求項１に記載の発明は、空調装置に適用されるエジェクタ式冷凍サイクルであって、
冷凍機油が混入された冷媒を圧縮して吐出する圧縮機（１１）と、圧縮機から吐出された高圧冷媒を熱源として空調対象空間に送風される送風空気を加熱する加熱用熱交換器（１２）と、加熱用熱交換器下流側の冷媒を減圧させる第１減圧装置（１５ｂ）と、第１減圧装置から流出した冷媒を外気と熱交換させる室外熱交換器（１７）と、加熱用熱交換器下流側の冷媒を減圧させる第２減圧装置（１５ｅ）と、第２減圧装置から流出した冷媒を蒸発させて加熱用熱交換器通過前の送風空気を冷却する冷却用熱交換器（２１）と、加熱用熱交換器下流側の冷媒を減圧させる加熱側ノズル部（１６ａ）から噴射された加熱側噴射冷媒の吸引作用によって加熱側冷媒吸引口（１６ｃ）から冷媒を吸引し、加熱側噴射冷媒と加熱側冷媒吸引口から吸引された加熱側吸引冷媒との混合冷媒を昇圧させる加熱側昇圧部（１６ｄ）を有する加熱側エジェクタ（１６）と、加熱側昇圧部から流出した冷媒の気液を分離する加熱側気液分離器（１９）と、冷媒回路を切り替える冷媒回路切替装置（１３ａ、１３ｂ、１８ａ、１８ｂ）と、を備え、
冷媒回路切替装置は、
冷却用熱交換器にて冷却された送風空気を加熱用熱交換器にて再加熱する第１除湿暖房モードでは、加熱用熱交換器から流出した冷媒を、第１減圧装置→室外熱交換器→第２減圧装置→冷却用熱交換器→圧縮機の順に流通させる冷媒回路に切り替え、
冷却用熱交換器にて冷却された送風空気を加熱用熱交換器にて再加熱する第２除湿暖房モードでは、加熱用熱交換器から流出した冷媒を、第２減圧装置→冷却用熱交換器→第１減圧装置→室外熱交換器→圧縮機の順に流通させる冷媒回路に切り替え、
送風空気を加熱用熱交換器にて加熱する暖房モードでは、加熱用熱交換器から流出した冷媒を、加熱側ノズル部へ流入させ、加熱側気液分離器から流出した気相冷媒を圧縮機へ吸入させるとともに、加熱側気液分離器から流出した液相冷媒を室外熱交換器へ流入させ、室外熱交換器から流出した冷媒を加熱側冷媒吸引口から吸引させる冷媒回路に切り替えるものであり、
第１除湿暖房モード時の室外熱交換器における冷媒の流れ方向と第２除湿暖房モード時の室外熱交換器における冷媒の流れ方向が同一になっており、第１除湿暖房モード時の室外熱交換器における冷媒の流れ方向と暖房モード時の室外熱交換器における冷媒の流れ方向が異なっているエジェクタ式冷凍サイクルである。
【００１５】
これによれば、暖房モードでは、冷媒回路切替装置（１３ａ…１８ｂ）が、加熱側気液分離器（１９）から流出した気相冷媒を圧縮機（１１）へ吸入させる冷媒回路に切り替えるので、加熱側昇圧部（１６ｄ）にて昇圧された冷媒を圧縮機（１１）へ吸入させることができる。従って、室外熱交換器（１８）における冷媒蒸発圧力と圧縮機（１１）の吸入冷媒圧力が同等となる通常の冷凍サイクル装置よりも、圧縮機（１１）の消費動力を低減させて、サイクルの成績係数（ＣＯＰ）を向上させることができる。
【００１６】
また、第１、第２除湿暖房モードでは、冷媒回路切替装置（１３ａ…１８ｂ）が、室外熱交換器（１７）と冷却用熱交換器（２１）が冷媒流れに対して直列に接続される冷媒回路に切り替える。従って、室外熱交換器（１７）における冷媒圧力によらず、圧縮機（１１）の吸入吐出作用によって、冷媒を冷却用熱交換器（２１）へ確実に供給することができる。
【００１７】
そして、第１除湿暖房モード時には、室外熱交換器（１７）が第２減圧装置（１５ｅ）を介して冷却用熱交換器（２１）よりも冷媒流れ上流側に配置されるので、室外熱交換器（１７）における冷媒温度を冷却用熱交換器（２１）における冷媒温度よりも高い温度帯とすることができる。従って、室外熱交換器（１７）における冷媒の吸放熱量を調整して、加熱用熱交換器（１２）における冷媒放熱量を調整することができる。
【００１８】
さらに、第２除湿暖房モード時には、室外熱交換器（１７）が第１減圧装置（１５ｂ）を介して冷却用熱交換器（２１）よりも冷媒流れ下流側に配置されるので、室外熱交換器（１７）における冷媒温度を冷却用熱交換器（２１）における冷媒温度よりも低い温度帯とすることができる。従って、室外熱交換器（１７）における冷媒の吸熱量を増加させて、加熱用熱交換器（１２）にて第１除湿暖房モードよりも高い加熱能力で送風空気を加熱することができる。
【００１９】
その結果、空調対象空間の除湿暖房を行う際に、第１除湿暖房モードおよび第２除湿暖房モードを切り替えることで、幅広い温度帯で送風空気の温度を調整することができる。
【００２０】
また、第１、第２除湿暖房モード時の室外熱交換器（１７）における冷媒の流れ方向と暖房モード時の室外熱交換器（１７）における冷媒の流れ方向が異なっているので、第１、第２除湿暖房モード時の室外熱交換器（１７）内の冷媒の流れ態様と暖房モード時の室外熱交換器（１７）内の冷媒の流れ態様とを変化させることができる。これにより、室外熱交換器（１７）内に冷凍機油が滞留してしまうことを抑制することができる。
【００２１】
すなわち、請求項１に記載の発明によれば、除湿暖房を行う空調装置に適用されるエジェクタ式冷凍サイクル（１０）において、冷凍機油が室外熱交換器（１７）に滞留してしまうことを抑制しつつ、除湿暖房時の送風空気の温度調整範囲を拡大することができる。
【００２２】
また、請求項４に記載の発明は、空調装置に適用されるエジェクタ式冷凍サイクルであって、
冷凍機油が混入された冷媒を圧縮して吐出する圧縮機（１１）と、圧縮機から吐出された高圧冷媒を熱源として空調対象空間に送風される送風空気を加熱する加熱用熱交換器（１２）と、加熱用熱交換器下流側の冷媒を減圧させる第１減圧装置（１５ｂ）と、第１減圧装置から流出した冷媒を外気と熱交換させる室外熱交換器（１７）と、加熱用熱交換器下流側の冷媒を減圧させる第２減圧装置（１５ｅ）と、第２減圧装置から流出した冷媒を蒸発させて加熱用熱交換器通過前の送風空気を冷却する冷却用熱交換器（２１）と、加熱用熱交換器下流側の冷媒を減圧させる冷却側ノズル部（２２ａ）から噴射された冷却側噴射冷媒の吸引作用によって冷却側冷媒吸引口（２２ｃ）から冷媒を吸引し、冷却側噴射冷媒と冷却側冷媒吸引口から吸引された冷却側吸引冷媒との混合冷媒を昇圧させる冷却側昇圧部（２２ｄ）を有する冷却側エジェクタ（２２）と、冷却側昇圧部から流出した冷媒の気液を分離する冷却側気液分離器（２３）と、冷媒回路を切り替える冷媒回路切替装置（１３ａ、１３ｂ、１８ａ、１８ｂ）と、を備え、
冷媒回路切替装置は、
冷却用熱交換器にて冷却された送風空気を加熱用熱交換器にて再加熱する第１除湿暖房モードでは、加熱用熱交換器から流出した冷媒を、第１減圧装置→室外熱交換器→第２減圧装置→冷却用熱交換器→圧縮機の順に流通させる冷媒回路に切り替え、
冷却用熱交換器にて冷却された送風空気を加熱用熱交換器にて再加熱する第２除湿暖房モードでは、加熱用熱交換器から流出した冷媒を、第２減圧装置→冷却用熱交換器→第１減圧装置→室外熱交換器→圧縮機の順に流通させる冷媒回路に切り替え、
送風空気を冷却用熱交換器にて冷却する冷房モードでは、室外熱交換器から流出した冷媒を、冷却側ノズル部へ流入させ、冷却側気液分離器から流出した気相冷媒を圧縮機へ吸入させるとともに、冷却側気液分離器から流出した液相冷媒を冷却用熱交換器へ流入させ、冷却用熱交換器から流出した冷媒を冷却側冷媒吸引口から吸引させる冷媒回路に切り替えるものであり、
第１除湿暖房モード時の冷却用熱交換器における冷媒の流れ方向と第２除湿暖房モード時の冷却用熱交換器における冷媒の流れ方向が同一になっており、第１除湿暖房モード時の冷却用熱交換器における冷媒の流れ方向と冷房モード時の冷却用熱交換器における冷媒の流れ方向が異なっているエジェクタ式冷凍サイクルである。
【００２３】
これによれば、冷房モードでは、冷媒回路切替装置（１３ａ…１８ｂ）が、冷却側気液分離器（２３）から流出した気相冷媒を圧縮機（１１）へ吸入させる冷媒回路に切り替えるので、冷却側昇圧部（２２ｄ）にて昇圧された冷媒を圧縮機（１１）へ吸入させることができる。従って、冷却用熱交換器（２１）における冷媒蒸発圧力と圧縮機（１１）の吸入冷媒圧力が同等となる通常の冷凍サイクル装置よりも、圧縮機（１１）の消費動力を低減させて、サイクルの成績係数（ＣＯＰ）を向上させることができる。
【００２４】
また、第１、第２除湿暖房モードでは、冷媒回路切替装置（１３ａ…１８ｂ）が、室外熱交換器（１７）と冷却用熱交換器（２１）が冷媒流れに対して直列に接続される冷媒回路に切り替えられる。従って、請求項１に記載の発明と同様に、室外熱交換器（１７）における冷媒圧力によらず、圧縮機（１１）の吸入吐出作用によって、冷媒を冷却用熱交換器（２１）へ確実に供給することができる。
【００２５】
そして、第１除湿暖房モード時には、室外熱交換器（１７）が第２減圧装置（１５ｅ）を介して冷却用熱交換器（２１）よりも冷媒流れ上流側に配置され、第２除湿暖房モード時には、室外熱交換器（１７）が第１減圧装置（１５ｂ）を介して冷却用熱交換器（２１）よりも冷媒流れ下流側に配置される。従って、空調対象空間の除湿暖房を行う際に、第１除湿暖房モードおよび第２除湿暖房モードを切り替えることで、請求項１に記載の発明と同様に、幅広い温度帯で送風空気の温度を調整することができる。
【００２６】
また、第１、第２除湿暖房モード時の冷却用熱交換器（２１）における冷媒の流れ方向と暖房モード時の冷却用熱交換器（２１）における冷媒の流れ方向が異なっている。従って、第１、第２除湿暖房モード時の冷却用熱交換器（２１）内の冷媒の流れ態様と暖房モード時の冷却用熱交換器（２１）内の冷媒の流れ態様とを変化させることができ、請求項１に記載の発明と同様に、冷却用熱交換器（２１）内に冷凍機油が滞留してしまうことを抑制することができる。
【００２７】
すなわち、請求項４に記載の発明によれば、除湿暖房を行う空調装置に適用されるエジェクタ式冷凍サイクル（１０）において、冷凍機油が冷却用熱交換器（２１）に滞留してしまうことを抑制しつつ、除湿暖房時の送風空気の温度調整範囲を拡大することができる。
【００２８】
なお、この欄および特許請求の範囲で記載した各手段の括弧内の符号は、後述する実施形態に記載の具体的手段との対応関係を示すものである。
【図面の簡単な説明】
【００２９】
【図１】第１実施形態の車両用空調装置の全体構成図である。
【図２】第１実施形態のエジェクタ式冷凍サイクルの冷房モード時の冷媒回路を示す全体構成図である。
【図３】第１実施形態のエジェクタ式冷凍サイクルの第１除湿暖房モード時の冷媒回路を示す全体構成図である。
【図４】第１実施形態のエジェクタ式冷凍サイクルの第２除湿暖房モード時の冷媒回路を示す全体構成図である。
【図５】第１実施形態のエジェクタ式冷凍サイクルの暖房モード時の冷媒回路を示す全体構成図である。
【図６】第１実施形態のエジェクタ式冷凍サイクルの除霜モード時の冷媒回路を示す全体構成図である。
【図７】第１実施形態の車両用空調装置の電気制御部を示すブロック図である。
【図８】第１実施形態のエジェクタ式冷凍サイクルの冷房モード時における冷媒の状態を示すモリエル線図である。
【図９】第１実施形態のエジェクタ式冷凍サイクルの第１除湿暖房モード時の冷媒の状態を示すモリエル線図である。
【図１０】第１実施形態のエジェクタ式冷凍サイクルの第２除湿暖房モード時の冷媒の状態を示すモリエル線図である。
【図１１】第１実施形態のエジェクタ式冷凍サイクルの暖房モード時の冷媒の状態を示すモリエル線図である。
【図１２】第１実施形態のエジェクタ式冷凍サイクルの除霜モード時の冷媒の状態を示すモリエル線図である。
【図１３】第１実施形態のエジェクタ式冷凍サイクルの送風空気の温度調整可能範囲を説明するための説明図である。
【発明を実施するための形態】
【００３０】
図１〜図１３により、本発明の一実施形態について説明する。本実施形態では、本発明に係るエジェクタ式冷凍サイクル１０を、図１の全体構成図に示すように、電気自動車に搭載される車両用空調装置１に適用している。エジェクタ式冷凍サイクル１０は、車両用空調装置１において、空調対象空間である車室内へ送風される送風空気を加熱あるいは冷却する機能を果たす。従って、エジェクタ式冷凍サイクル１０の熱交換対象流体は送風空気である。
【００３１】
さらに、エジェクタ式冷凍サイクル１０は、図２〜図６に示すように、冷房モードの冷媒回路（図２参照）、第１除湿暖房モードの冷媒回路（図３参照）、第２除湿暖房モードの冷媒回路（図４参照）、暖房モードの冷媒回路（図５参照）、除霜モードの冷媒回路（図６参照）を切替可能に構成されている。
【００３２】
冷房モードは、送風空気を冷却して車室内を冷房する運転モードである。第１除湿暖房モードは、冷却して除湿された送風空気を再加熱して車室内の除湿暖房を行う運転モードである。第２除湿暖房モードは、第１除湿暖房モードよりも高い加熱能力で送風空気を再加熱して車室内の除湿暖房を行う運転モードである。暖房モードは、送風空気を加熱して車室内を暖房する運転モードである。除霜モードは、後述する室外熱交換器１７に着霜が生じた際にこれを取り除くための運転モードである。
【００３３】
なお、図２〜図６では、各運転モードにおける冷媒の流れ方向を明確化するために、図１に示すエジェクタ式冷凍サイクル１０の構成機器の配置を変更して図示している。具体的には、加熱側エジェクタ１６、室外熱交換器１７等と、冷却側エジェクタ２２、室内蒸発器２１等とを左右対称的に配置して図示している。
【００３４】
従って、図１に図示されたエジェクタ式冷凍サイクル１０と図２〜図６に図示されたエジェクタ式冷凍サイクル１０は同等である。また、図２〜図６では、それぞれの運転モードにおける冷媒の流れを実線矢印で示している。
【００３５】
また、エジェクタ式冷凍サイクル１０では、冷媒として、ＨＦＣ系冷媒（具体的には、Ｒ１３４ａ）を採用しており、高圧側冷媒圧力が冷媒の臨界圧力を超えない亜臨界冷凍サイクルを構成している。さらに、冷媒には、圧縮機１１を潤滑するための冷凍機油が混入されている。この冷凍機油としては、液相冷媒に相溶性を有するＰＡＧオイル（ポリアルキレングリコールオイル）が採用されている。冷凍機油の一部は、冷媒とともにサイクルを循環している。
【００３６】
エジェクタ式冷凍サイクル１０の構成機器のうち、圧縮機１１は、車両ボンネット内に配置され、エジェクタ式冷凍サイクル１０において冷媒を吸入し、圧縮して吐出するものである。本実施形態では、圧縮機１１として、吐出容量が固定された固定容量型の圧縮機構を電動モータにて回転駆動する電動圧縮機を採用している。圧縮機１１は、後述する空調制御装置４０から出力される制御信号によって、その作動（回転数）が制御される。
【００３７】
圧縮機１１の吐出口には、室内凝縮器１２の冷媒入口側が接続されている。室内凝縮器１２は、後述する室内空調ユニット３０において送風空気の空気通路を形成するケーシング３１内に配置されている。室内凝縮器１２は、圧縮機１１から吐出された高圧冷媒と後述する室内蒸発器２１通過後の送風空気とを熱交換させて、高圧冷媒を熱源として送風空気を加熱する加熱用熱交換器である。室内空調ユニット３０の詳細については後述する。
【００３８】
室内凝縮器１２の冷媒出口には、第１四方弁１３ａの１つの出入口側が接続されている。第１四方弁１３ａは、後述する第２四方弁１３ｂ等とともに、エジェクタ式冷凍サイクル１０の冷媒回路を切り替える冷媒回路切替装置である。
【００３９】
第１四方弁１３ａは、室内凝縮器１２の冷媒出口側と第１三方継手１４ａの１つ出入口側（具体的には、後述する加熱側エジェクタ１６あるいは室外熱交換器１７の出入口側）とを接続すると同時に第２四方弁１３ｂの１つの出入口側と第３三方継手１４ｃの１つ出入口側（具体的には、後述する冷却側エジェクタ２２あるいは室内蒸発器２１の出入口側）とを接続する冷媒回路に切り替えることができる。
【００４０】
さらに、第１四方弁１３ａは、室内凝縮器１２の冷媒出口側と第３三方継手１４ｃの１つ出入口側とを接続すると同時に第２四方弁１３ｂの１つの出入口側と第１三方継手１４ａの１つ出入口側とを接続する冷媒回路に切り替えることができる。第１、第２四方弁１３ａ、１３ｂは、空調制御装置４０から出力される制御電圧によって、その作動が制御される。
【００４１】
第１三方継手１４ａは、３つの冷媒出入口を有する配管継手である。さらに、エジェクタ式冷凍サイクル１０では、後述するように、第２〜第４三方継手１４ｂ〜１４ｄを備えている。第２〜第４三方継手１４ｂ〜１４ｄの基本的構成は、第１三方継手１４ａと同様である。
【００４２】
第１三方継手１４ａの別の出入口には、第１流量調整弁１５ａを介して、加熱側エジェクタ１６の加熱側ノズル部１６ａの入口側が接続されている。第１三方継手１４ａのさらに別の出入口には、第２流量調整弁１５ｂを介して、第２三方継手１４ｂの１つ出入口側が接続されている。
【００４３】
第１流量調整弁１５ａは、冷媒通路の開度を変化させる弁体と、この弁体の開度を変化させる電動アクチュエータ（具体的には、ステッピングモータ）とを有して構成される電気式の可変絞り機構である。第１流量調整弁１５ａは、少なくとも暖房モード時に、加熱側エジェクタ１６の加熱側ノズル部１６ａへ流入する冷媒流量を調整する。第２流量調整弁１５ｂは、室内凝縮器１２下流側の冷媒であって、室外熱交換器１７へ流入する冷媒を減圧させる第１減圧装置である。
【００４４】
さらに、エジェクタ式冷凍サイクル１０では、第２〜第６流量調整弁１５ｂ〜１５ｆを備えている。第２〜第６流量調整弁１５ｂ〜１５ｆの基本的構成は、第１流量調整弁１５ａと同様である。第１〜第６流量調整弁１５ａ〜１５ｆは、弁開度を全開にすることで流量調整作用および冷媒減圧作用を殆ど発揮することなく単なる冷媒通路として機能する全開機能、および弁開度を全閉にすることで冷媒流路を閉塞する全閉機能を有している。
【００４５】
そして、この全開機能および全閉機能により、第１〜第６流量調整弁１５ａ〜１５ｆは、各運転モードの冷媒回路を切り替えることができる。従って、第１〜第６流量調整弁１５ａ〜１５ｆは、第１、第２四方弁１３ａ、１３ｂとともに、冷媒回路切替装置としての機能も兼ね備えている。第１〜第６流量調整弁１５ａ〜１５ｆは、空調制御装置４０から出力される制御信号（制御パルス）によって、その作動が制御される。
【００４６】
第２三方継手１４ｂの別の出入口には、室外熱交換器１７の一方の冷媒出入口側が接続されている。第２三方継手１４ｂのさらに別の出入口には、第１開閉弁１８ａを介して、加熱側エジェクタ１６の加熱側冷媒吸引口１６ｃ側が接続されている。
【００４７】
第１開閉弁１８ａは、第２三方継手１４ｂと加熱側エジェクタ１６の加熱側冷媒吸引口１６ｃとを接続する冷媒通路を開閉する電磁弁である。さらに、エジェクタ式冷凍サイクル１０では、後述するように、第２開閉弁１８ｂを備えている。第２開閉弁１８ｂの基本的構成は、第１開閉弁１８ａと同様である。
【００４８】
また、第１、第２開閉弁１８ａ、１８ｂは、冷媒通路を開閉することで、上述した各運転モードの冷媒回路を切り替えることができる。従って、第１、第２開閉弁１８ａ、１８ｂは、第１、第２四方弁１３ａ、１３ｂとともに、冷媒回路切替装置である。第１、第２開閉弁１８ａ、１８ｂは、空調制御装置４０から出力される制御電圧によって、その作動が制御される。
【００４９】
室外熱交換器１７は、車両ボンネット内に配置されて、その内部を流通する冷媒と図示しない送風ファンから送風された外気とを熱交換させる熱交換器である。室外熱交換器１７は、少なくとも冷房モードでは、高圧冷媒を放熱させる放熱器として機能する。また、少なくとも第２除湿暖房モードおよび暖房モードでは、冷媒を蒸発させる蒸発器として機能する。
【００５０】
室外熱交換器１７の他方の冷媒出入口には、第３流量調整弁１５ｃを介して、加熱側アキュムレータ１９の液相冷媒出入口側が接続されている。
【００５１】
また、本実施形態では、室外熱交換器１７として、内部に形成された冷媒通路の通路断面積が冷媒流れ方向に向かって変化するものを採用している。より詳細には、本実施形態の室外熱交換器１７は、いわゆるタンクアンドチューブ型の熱交換器で構成されている。そして、冷媒を流通させるパス構成を調整することによって、内部に形成された冷媒通路の通路断面積を変化させている。
【００５２】
ここで、タンクアンドチューブ型の熱交換器におけるパスとは、タンク内に形成された同一の分配空間内の冷媒をタンク内に形成された同一の集合空間へ向けて同一の方向へ流すチューブ群によって形成される冷媒通路と定義することができる。従って、パスを構成するチューブの本数を変化させることによって、パス（冷媒通路）の通路断面積（チューブの合計通路断面積）を変化させることができる。
【００５３】
本実施形態の室外熱交換器１７では、他方の冷媒出入口側から一方の冷媒出入口側へ向かうに伴って、内部に形成される冷媒通路の通路断面積が段階的に縮小するパス構成になっている。なお、本実施形態における他方の冷媒出入口は、加熱側アキュムレータ１９の液相冷媒出入口が接続される側の出入口であり、一方の冷媒出入口は、第２三方継手１４ｂの別の出入口が接続される側の出入口である。
【００５４】
次に、加熱側エジェクタ１６は、少なくとも暖房モード時に、室内凝縮器１２から流出した冷媒を減圧させる減圧装置としての機能を果たす。さらに、加熱側エジェクタ１６は、高速度で噴射される噴射冷媒の吸引作用によって、室外熱交換器１７から流出した冷媒を吸引して輸送する冷媒輸送装置としての機能を果たす。
【００５５】
より具体的には、加熱側エジェクタ１６は、加熱側ノズル部１６ａおよび加熱側ボデー部１６ｂを有している。加熱側ノズル部１６ａは、冷媒の流れ方向に向かって徐々に先細る形状の金属製（本実施形態では、ステンレス製）の略円筒状部材で形成されている。そして、内部に形成された冷媒通路にて冷媒を等エントロピ的に減圧させるものである。
【００５６】
加熱側ノズル部１６ａの内部に形成された冷媒通路には、通路断面積が最も縮小した喉部（最小通路面積部）が形成され、さらに、この喉部から冷媒を噴射する冷媒噴射口へ向かうに伴って冷媒通路面積が拡大する末広部が形成されている。つまり、加熱側ノズル部１６ａは、ラバールノズルとして構成されている。
【００５７】
さらに、本実施形態では、加熱側ノズル部１６ａとして、エジェクタ式冷凍サイクル１０の通常作動時に、冷媒噴射口から噴射される加熱側噴射冷媒の流速が音速以上となるように設定されたものが採用されている。もちろん、加熱側ノズル部１６ａを先細ノズルで構成してもよい。
【００５８】
加熱側ボデー部１６ｂは、金属製（本実施形態では、アルミニウム合金製）の円筒状部材で形成されており、内部に加熱側ノズル部１６ａを支持固定する固定部材として機能するとともに、加熱側エジェクタ１６の外殻を形成するものである。より具体的には、加熱側ノズル部１６ａは、加熱側ボデー部１６ｂの長手方向一端側の内部に収容されるように圧入にて固定されている。従って、加熱側ノズル部１６ａと加熱側ボデー部１６ｂとの固定部（圧入部）から冷媒が漏れることはない。
【００５９】
また、加熱側ボデー部１６ｂの外周面のうち、加熱側ノズル部１６ａの外周側に対応する部位には、その内外を貫通して加熱側ノズル部１６ａの冷媒噴射口と連通するように設けられた加熱側冷媒吸引口１６ｃが形成されている。この加熱側冷媒吸引口１６ｃは、加熱側ノズル部１６ａから噴射される加熱側噴射冷媒の吸引作用によって、室外熱交換器１７から流出した冷媒を加熱側エジェクタ１６の内部へ吸引する貫通穴である。
【００６０】
さらに、加熱側ボデー部１６ｂの内部には、加熱側冷媒吸引口１６ｃから吸引された吸引冷媒を加熱側ノズル部１６ａの冷媒噴射口側へ導く吸引通路、および吸引通路を介して加熱側エジェクタ１６の内部へ流入した加熱側吸引冷媒と加熱側噴射冷媒とを混合させて昇圧させる加熱側昇圧部である加熱側ディフューザ部１６ｄが形成されている。
【００６１】
加熱側ディフューザ部１６ｄは、吸引通路の出口に連続するように配置されて、冷媒通路面積が徐々に拡大するように形成されている。これにより、加熱側噴射冷媒と加熱側吸引冷媒とを混合させながら、その流速を減速させて加熱側噴射冷媒と加熱側吸引冷媒との混合冷媒の圧力を上昇させる機能、すなわち、混合冷媒の速度エネルギを圧力エネルギに変換する機能を果たす。
【００６２】
加熱側ディフューザ部１６ｄの冷媒出口には、加熱側アキュムレータ１９の入口側が接続されている。加熱側アキュムレータ１９は、加熱側エジェクタ１６の加熱側ディフューザ部１６ｄから流出した冷媒の気液を分離する加熱側気液分離器である。加熱側アキュムレータ１９には、分離された気相冷媒を流出させるための気相冷媒出入口と、分離された液相冷媒を流出させるための液相冷媒出入口が設けられている。
【００６３】
本実施形態では、加熱側アキュムレータ１９として、比較的内容積の小さいものを採用している。このため、加熱側アキュムレータ１９では、分離された液相冷媒を殆ど蓄えることなく液相冷媒出入口から流出させる。また、分離された液相冷媒のうち、液相冷媒出入口から流出させることのできない冷媒が、気相冷媒流出口から流出することもある。
【００６４】
加熱側アキュムレータ１９の気相冷媒出入口には、冷媒回路切替装置である第２四方弁１３ｂの別の出入口側が接続されている。
【００６５】
第２四方弁１３ｂは、加熱側アキュムレータ１９の気相冷媒出入口側と第１四方弁１３の１つの出入口側とを接続すると同時に後述する冷却側アキュムレータ２３の気相冷媒出入口側と吸入側アキュムレータ２４の入口側とを接続する冷媒回路に切り替えることができる。
【００６６】
さらに、第２四方弁１３ｂは、加熱側アキュムレータ１９の気相冷媒出入口側と吸入側アキュムレータ２４の入口側とを接続すると同時に冷却側アキュムレータ２３の気相冷媒出入口と第１四方弁１３の１つの出入口側とを接続する冷媒回路に切り替えることができる。
【００６７】
また、第１四方弁１３ａが接続された第３三方継手１４ｃの別の出入口には、第４流量調整弁１５ｄを介して、冷却側エジェクタ２２の冷却側ノズル部２２ａの入口側が接続されている。第３三方継手１４ｃのさらに別の出入口には、第５流量調整弁１５ｅを介して、第４三方継手１４ｄの１つ出入口側が接続されている。第５流量調整弁１５ｅは、室内凝縮器１２下流側の冷媒であって、室内蒸発器２１へ流入する冷媒を減圧させる第２減圧装置である。
【００６８】
第４三方継手１４ｄの別の出入口には、室内蒸発器２１の一方の冷媒出入口側が接続されている。第４三方継手１４ｄのさらに別の出入口には、第２開閉弁１８ｂを介して、冷却側エジェクタ２２の冷却側冷媒吸引口２２ｃ側が接続されている。
【００６９】
室内蒸発器２１は、室内空調ユニット３０のケーシング３１内であって、前述した室内凝縮器１２よりも空気流れ上流側に配置されている。室内蒸発器２１は、第５流量調整弁１５ｅあるいは第６流量調整弁１５ｆにて減圧された低圧冷媒を送風空気と熱交換させて蒸発させ、吸熱作用を発揮させることによって送風空気を冷却する冷却用熱交換器である。
【００７０】
室内蒸発器２１の他方の冷媒出入口には、第６流量調整弁１５ｆを介して、冷却側アキュムレータ２３の液相冷媒出入口側が接続されている。
【００７１】
また、本実施形態では、室内蒸発器２１として、室外熱交換器１７と同様に、いわゆるタンクアンドチューブ型の熱交換器であって、内部に形成された冷媒通路の通路断面積が冷媒流れ方向に向かって変化するものを採用している。
【００７２】
より具体的には、本実施形態の室内蒸発器２１では、他方の冷媒出入口側から一方の冷媒出入口側へ向かうに伴って、内部に形成される冷媒通路の通路断面積が段階的に縮小するパス構成になっている。なお、本実施形態における他方の冷媒出入口は、冷却側アキュムレータ２３の液相冷媒出入口が接続される側の出入口であり、一方の冷媒出入口は、第４三方継手１４ｄの別の出入口が接続される側の出入口である。
【００７３】
冷却側エジェクタ２２の基本的構成は、加熱側エジェクタ１６と同様である。従って、冷却側エジェクタ２２は、冷却側ノズル部２２ａ、冷却側ボデー２２ｂを有している。そして、冷却側ボデー２２ｂには、冷却側冷媒吸引口２２ｃ、冷却側昇圧部である冷却側ディフューザ部２２ｄが形成されている。
【００７４】
冷却側ディフューザ部２２ｄの冷媒出口には、冷却側アキュムレータ２３の入口側が接続されている。冷却側アキュムレータ２３は、冷却側エジェクタ２２の冷却側ディフューザ部２２ｄから流出した冷媒の気液を分離する冷却側気液分離器である。冷却側アキュムレータ２３には、分離された気相冷媒を流出させるための気相冷媒流出口と、分離された液相冷媒を流出させるための液相冷媒流出口が設けられている。
【００７５】
本実施形態では、冷却側アキュムレータ２３として、加熱側アキュムレータ１９と同様に、比較的内容積の小さいものを採用している。このため、冷却側アキュムレータ２３では、分離された液相冷媒を殆ど蓄えることなく液相冷媒出入口から流出させる。また、分離された液相冷媒のうち、液相冷媒出入口から流出させることのできない冷媒が、気相冷媒流出口から流出することもある。
【００７６】
冷却側アキュムレータ２３の気相冷媒出入口には、冷媒回路切替装置である第２四方弁１３ｂのさらに別の出入口側が接続されている。吸入側アキュムレータ２４は、圧縮機１１へ吸入される冷媒の気液を分離する気液分離器である。吸入側アキュムレータ２４は、分離された気相冷媒を圧縮機１１の吸入口側へ流出させるとともに、サイクルの余剰冷媒を蓄えるものである。
【００７７】
次に、室内空調ユニット３０について説明する。室内空調ユニット３０は、エジェクタ式冷凍サイクル１０によって温度調整された送風空気を車室内へ吹き出すためのもので、車室内最前部の計器盤（インストルメントパネル）の内側（車室内）に配置されている。室内空調ユニット３０は、その外殻を形成するケーシング３１内に送風機３２、室内蒸発器２１、室内凝縮器１２、およびエアミックスドア３４等を収容して構成されている。
【００７８】
ケーシング３１は、車室内に送風される送風空気の空気通路を形成するもので、ある程度の弾性を有し、強度的にも優れた樹脂（例えば、ポリプロピレン）にて成形されている。このケーシング３１内の送風空気流れ最上流側には、ケーシング３１内へ内気（車室内空気）と外気（車室外空気）とを切替導入する内外気切替手段としての内外気切替装置３３が配置されている。
【００７９】
内外気切替装置３３は、ケーシング３１内へ内気を導入させる内気導入口および外気を導入させる外気導入口の開口面積を、内外気切替ドアによって連続的に調整して、内気の風量と外気の風量との風量割合を連続的に変化させるものである。内外気切替ドアは、内外気切替ドア用の電動アクチュエータによって駆動され、この電動アクチュエータは、空調制御装置４０から出力される制御信号によって、その作動が制御される。
【００８０】
内外気切替装置３３の送風空気流れ下流側には、内外気切替装置３３を介して吸入した空気を車室内へ向けて送風する送風手段としての送風機（ブロワ）３２が配置されている。この送風機３２は、遠心多翼ファン（シロッコファン）を電動モータにて駆動する電動送風機であって、空調制御装置４０から出力される制御電圧によって回転数（送風量）が制御される。
【００８１】
送風機３２の送風空気流れ下流側には、室内蒸発器２１および室内凝縮器１２が、この順に配置されている。つまり、室内蒸発器２１は、室内凝縮器１２よりも送風空気流れ上流側に配置されている。さらに、室内蒸発器２１の空気流れ下流側であって、かつ、室内凝縮器１２の送風空気流れ上流側には、室内蒸発器２１通過後の送風空気のうち、室内凝縮器１２を通過させる風量割合を調整するエアミックスドア３４が配置されている。
【００８２】
また、室内凝縮器１２の空気流れ下流側には、室内凝縮器１２にて冷媒と熱交換して加熱された送風空気と室内凝縮器１２を迂回して加熱されていない送風空気とを混合させる混合空間３５が設けられている。さらに、ケーシング３１の送風空気流れ最下流部には、混合空間３５にて混合された送風空気（空調風）を、空調対象空間である車室内へ吹き出す開口穴が設けられている。
【００８３】
具体的には、この開口穴としては、フェイス開口穴、フット開口穴、およびデフロスタ開口穴（いずれも図示せず）が設けられている。フェイス開口穴は、車室内の乗員の上半身に向けて空調風を吹き出すための開口穴である。フット開口穴は、乗員の足元に向けて空調風を吹き出すための開口穴である。デフロスタ開口穴は、車両前面窓ガラス内側面に向けて空調風を吹き出すための開口穴である。
【００８４】
これらのフェイス開口穴、フット開口穴、およびデフロスタ開口穴は、それぞれ空気通路を形成するダクトを介して、車室内に設けられたフェイス吹出口、フット吹出口およびデフロスタ吹出口（いずれも図示せず）に接続されている。
【００８５】
従って、エアミックスドア３４が、室内凝縮器１２を通過させる風量と室内凝縮器１２を迂回させる風量との風量割合を調整することによって、混合空間にて混合される空調風の温度が調整される。これにより、各吹出口から車室内へ吹き出される送風空気（空調風）の温度が調整されることになる。
【００８６】
つまり、エアミックスドア３４は、車室内へ送風される空調風の温度を調整する温度調整部としての機能を果たす。なお、エアミックスドア３４は、エアミックスドア駆動用の電動アクチュエータによって駆動され、この電動アクチュエータは、空調制御装置４０から出力される制御信号によって、その作動が制御される。
【００８７】
また、フェイス開口穴、フット開口穴、およびデフロスタ開口穴の送風空気流れ上流側には、それぞれ、フェイス開口穴の開口面積を調整するフェイスドア、フット開口穴の開口面積を調整するフットドア、デフロスタ開口穴の開口面積を調整するデフロスタドア（いずれも図示せず）が配置されている。
【００８８】
これらのフェイスドア、フットドア、デフロスタドアは、開口穴モードを切り替える開口穴モード切替装置を構成するものであって、リンク機構等を介して、吹出口モードドア駆動用の電動アクチュエータに連結されて連動して回転操作される。なお、この電動アクチュエータも、空調制御装置４０から出力される制御信号によって、その作動が制御される。
【００８９】
吹出口モード切替装置によって切り替えられる吹出口モードとしては、具体的に、フェイスモード、バイレベルモード、フットモード等がある。
【００９０】
フェイスモードは、フェイス吹出口を全開してフェイス吹出口から車室内乗員の上半身に向けて空気を吹き出す吹出口モードである。バイレベルモードは、フェイス吹出口とフット吹出口の両方を開口して車室内乗員の上半身と足元に向けて空気を吹き出す吹出口モードである。フットモードは、フット吹出口を全開するとともにデフロスタ吹出口を小開度だけ開口して、フット吹出口から主に空気を吹き出す吹出口モードである。
【００９１】
さらに、乗員が操作パネル５０に設けられた吹出モード切替スイッチをマニュアル操作することによって、デフロスタ吹出口を全開してデフロスタ吹出口から車両フロント窓ガラス内面に空気を吹き出すデフロスタモードとすることもできる。
【００９２】
次に、本実施形態の電気制御部について説明する。空調制御装置４０は、ＣＰＵ、ＲＯＭおよびＲＡＭ等を含む周知のマイクロコンピュータとその周辺回路から構成され、そのＲＯＭ内に記憶された制御プログラムに基づいて各種演算、処理を行い、出力側に接続された各種制御対象機器１１、１３ａ、１３ｂ、１５ａ〜１５ｆ、１８ａ、１８ｂ、３２等の作動を制御する。
【００９３】
また、空調制御装置４０の入力側には、図７のブロック図に示すように、内気温センサ４１、外気温センサ４２、日射センサ４３、室外熱交換器温度センサ４４、吐出温度センサ４５、室内蒸発器温度センサ４６、空調風温度センサ４７等が接続されている。そして、空調制御装置４０には、これらのセンサ群の検出信号が入力される。
【００９４】
内気温センサ４１は、車室内温度（内気温）Ｔｒを検出する内気温検出部である。外気温センサ４２は、車室外温度（外気温）Ｔａｍを検出する外気温検出部である。日射センサ４３は、車室内へ照射される日射量Ａｓを検出する日射量検出部である。室外熱交換器温度センサ４４は、室外熱交換器における冷媒の温度（室外熱交換器温度）Ｔｏｕｔを検出する室外熱交換器温度検出部である。吐出温度センサ４５は、圧縮機１１の吐出冷媒温度Ｔｄを検出する吐出温度検出部である。室内蒸発器温度センサ４６は、室内蒸発器２１における冷媒蒸発温度（室内蒸発器温度）Ｔｅｆｉｎを検出する蒸発器温度検出部である。空調風温度センサ４７は、混合空間から車室内へ送風される送風空気温度ＴＡＶを検出する空調風温度検出部である。
【００９５】
さらに、空調制御装置４０の入力側には、図７に示すように、車室内前部の計器盤付近に配置された操作パネル５０が接続され、この操作パネル５０に設けられた各種操作スイッチからの操作信号が入力される。操作パネル５０に設けられた各種操作スイッチとしては、オートスイッチ、冷房スイッチ（Ａ／Ｃスイッチ）、風量設定スイッチ、温度設定スイッチ、吹出モード切替スイッチ等がある。
【００９６】
オートスイッチは、車両用空調装置１の自動制御運転を設定あるいは解除する入力部である。冷房スイッチ（Ａ／Ｃスイッチ）は、車室内の冷房を行うことを要求する入力部である。風量設定スイッチは、送風機３２の風量をマニュアル設定する入力部である。温度設定スイッチは、車室内の目標温度Ｔｓｅｔをマニュアル設定する入力部である。吹出モード切替スイッチは吹出モードをマニュアル設定する入力部である。
【００９７】
なお、本実施形態の空調制御装置４０は、その出力側に接続された各種制御対象機器を制御する制御部が一体に構成されたものであるが、それぞれの制御対象機器の作動を制御する構成（ハードウェアおよびソフトウェア）が、それぞれの制御対象機器の作動を制御する制御部を構成している。
【００９８】
例えば、空調制御装置４０のうち、圧縮機１１の冷媒吐出能力（圧縮機１１の回転数）を制御する構成は、吐出能力制御部を構成している。また、第１、第２開閉弁１８ａ、１８ｂ等の冷媒回路切替装置の作動を制御する構成は、冷媒回路制御部を構成している。
【００９９】
次に、上記構成における本実施形態の作動について説明する。前述の如く、本実施形態のエジェクタ式冷凍サイクル１０では、冷房モード、第１除湿暖房モード、第２除湿暖房モード、暖房モード、除霜モードの運転を切り替えることができる。
【０１００】
これらの運転モードの切り替えは、空調制御装置４０の記憶回路に予め記憶された空調制御プログラムが実行されることによって行われる。空調制御プログラムは、操作パネル５０のオートスイッチが投入（ＯＮ）された際に実行される。
【０１０１】
より具体的には、空調制御プログラムのメインルーチンでは、上述の空調制御用のセンサ群の検出信号および各種空調操作スイッチからの操作信号を読み込む。そして、読み込んだ検出信号および操作信号の値に基づいて、車室内へ吹き出す吹出空気の目標温度である目標吹出温度ＴＡＯを、以下数式Ｆ１に基づいて算出する。
ＴＡＯ＝Ｋｓｅｔ×Ｔｓｅｔ−Ｋｒ×Ｔｒ−Ｋａｍ×Ｔａｍ−Ｋｓ×Ａｓ＋Ｃ…（Ｆ１）
なお、Ｔｓｅｔは温度設定スイッチによって設定された車室内設定温度、Ｔｒは内気センサによって検出された車室内温度（内気温）、Ｔａｍは外気センサによって検出された外気温、Ａｓは日射センサによって検出された日射量である。Ｋｓｅｔ、Ｋｒ、Ｋａｍ、Ｋｓは制御ゲインであり、Ｃは補正用の定数である。
【０１０２】
さらに、操作パネル５０の冷房スイッチが投入されており、かつ、目標吹出温度ＴＡＯが予め定めた冷房基準温度αよりも低くなっている場合には、冷房モードでの運転を実行する。
【０１０３】
また、冷房スイッチが投入された状態で、目標吹出温度ＴＡＯが冷房基準温度α以上になっており、かつ、外気温Ｔａｍが予め定めた除湿暖房基準温度βよりも高くなっている場合には、第１除湿暖房モードでの運転を実行する。また、冷房スイッチが投入された状態で、目標吹出温度ＴＡＯが冷房基準温度α以上になっており、かつ、外気温Ｔａｍが除湿暖房基準温度β以下になっている場合には、第２除湿暖房モードでの運転を実行する。
【０１０４】
また、冷房スイッチが投入されていない場合には、暖房モードでの運転を実行する。さらに、暖房モードの実行中等に室外熱交換器１７に着霜が生じた際には、これを取り除くための除霜運転を行う。
【０１０５】
これにより、本実施形態の車両用空調装置１では、主に夏季のように比較的外気温が高い場合に、冷房モードでの運転を実行している。また、主に早春季あるいは初冬季等に、第１、第２除湿暖房モードでの運転を実行している。また、主に冬季のように比較的外気温が低い場合に、暖房モードでの運転を実行している。以下に各運転モードにおける作動を説明する。
【０１０６】
（ａ）冷房モード
冷房モードでは、空調制御装置４０が、室内凝縮器１２の冷媒出口側と第１三方継手１４ａ側とを接続すると同時に第２四方弁１３ｂ側と第３三方継手１４ｃ側とを接続する冷媒回路に切り替えるように第１四方弁１３ａの作動を制御する。さらに、加熱側アキュムレータ１９の気相冷媒出入口側と第１四方弁１３側とを接続すると同時に冷却側アキュムレータ２３の気相冷媒出入口側と吸入側アキュムレータ２４の入口側とを接続する冷媒回路に切り替えるように第２四方弁１３ｂの作動を制御する。
【０１０７】
また、空調制御装置４０は、第１流量調整弁１５ａを全閉状態とし、第２流量調整弁１５ｂを全開状態とし、第３流量調整弁１５ｃを全開状態とし、第４流量調整弁１５ｄを冷媒減圧作用を発揮する絞り状態とし、第５流量調整弁１５ｅを全閉状態とし、第６流量調整弁１５ｆを絞り状態とする。さらに、空調制御装置４０は、第１開閉弁１８ａを閉じ、第２開閉弁１８ｂを開く。
【０１０８】
これにより、冷房モードでは、図２の実線矢印に示すように、圧縮機１１→室内凝縮器１２（→第２流量調整弁１５ｂ）→室外熱交換器１７（→第３流量調整弁１５ｃ）→加熱側アキュムレータ１９→第４流量調整弁１５ｄ→冷却側エジェクタ２２→冷却側アキュムレータ２３→吸入側アキュムレータ２４→圧縮機１１の順に冷媒が循環するとともに、冷却側アキュムレータ２３→第６流量調整弁１５ｆ→室内蒸発器２１→冷却側エジェクタ２２の冷却側冷媒吸引口２２ｃの順に冷媒が循環するエジェクタ式冷凍サイクルが構成される。
【０１０９】
空調制御装置４０は、この冷媒回路の構成で、目標吹出温度ＴＡＯ、センサ群の検出信号等に基づいて、各種制御対象機器の作動状態（各種制御対象機器へ出力する制御信号）を決定する。
【０１１０】
例えば、圧縮機１１の冷媒吐出能力、すなわち圧縮機１１の電動モータに出力される制御信号については、次のように決定される。まず、目標吹出温度ＴＡＯに基づいて、予め空調制御装置４０に記憶された制御マップを参照して、室内蒸発器２１の目標蒸発器吹出温度ＴＥＯを決定する。この目標蒸発器吹出温度ＴＥＯは、室内蒸発器２１の着霜を抑制可能に決定された基準着霜防止温度（例えば、１℃）以上となるように決定される。
【０１１１】
そして、この目標蒸発器吹出温度ＴＥＯと室内蒸発器温度センサ４６によって検出された室内蒸発器温度Ｔｅｆｉｎとの偏差に基づいて、フィードバック制御手法を用いて室内蒸発器温度Ｔｅｆｉｎが目標蒸発器吹出温度ＴＥＯに近づくように、圧縮機１１の電動モータに出力される制御信号が決定される。
【０１１２】
また、第４流量調整弁１５ｄの絞り開度、すなわち第４流量調整弁１５ｄへ出力される制御信号（制御パルス）については、目標吹出温度ＴＡＯに基づいて、予め空調制御装置４０に記憶された制御マップを参照して決定される。具体的には、エジェクタ式冷凍サイクル１０のＣＯＰが極大値に近づくように決定される。
【０１１３】
また、第６流量調整弁１５ｆの絞り開度、すなわち第６流量調整弁１５ｆへ出力される制御信号（制御パルス）については、予め空調制御装置４０に記憶された冷房用の基準開度に決定される。
【０１１４】
また、エアミックスドア３４を駆動する電動アクチュエータへ出力される制御信号については、エアミックスドア３４が室内凝縮器１２側の空気通路を閉塞し、室内蒸発器２１通過後の送風空気の全流量が室内凝縮器１２を迂回して流れるように決定される。
【０１１５】
そして、上記の如く決定された制御信号等を各種制御対象機器へ出力する。その後、車両用空調装置１の作動停止が要求されるまで、所定の制御周期毎に、上述の検出信号および操作信号の読み込み→目標吹出温度ＴＡＯの算出→各種制御対象機器の作動状態決定→制御電圧および制御信号の出力といった制御ルーチンが繰り返される。なお、このような制御ルーチンの繰り返しは、他の運転モード時にも同様に行われる。
【０１１６】
従って、冷房モード時のエジェクタ式冷凍サイクル１０では、図８のモリエル線図に示すように冷媒の状態が変化する。
【０１１７】
具体的には、圧縮機１１から吐出された高圧冷媒（図８のａ８点）が、室内凝縮器１２へ流入する。この際、エアミックスドア３４が室内凝縮器１２側の空気通路を閉塞しているので、室内凝縮器１２へ流入した冷媒は、殆ど送風空気と熱交換することなく室内凝縮器１２から流出する。
【０１１８】
室内凝縮器１２から流出した冷媒は、第１四方弁１３ａ、全開となっている第２流量調整弁１５ｂ等を介して、室外熱交換器１７の一方の冷媒出入口へ流入する。室外熱交換器１７へ流入した冷媒は、室外熱交換器１７にて送風ファンから送風された外気へ放熱して凝縮する（図８のａ８点→ｅ８点）。
【０１１９】
室外熱交換器１７の他方の冷媒出入口から流出した冷媒は、全開となっている第３流量調整弁１５ｃを介して、加熱側アキュムレータ１９へ流入して気液分離される。加熱側アキュムレータ１９にて分離された液相冷媒は、第２四方弁１３ｂ、第１四方弁１３ａ等を介して、第４流量調整弁１５ｄへ流入して減圧される（図８のｅ８点→ｈ８点）。
【０１２０】
第４流量調整弁１５ｄにて減圧された冷媒は、冷却側エジェクタ２２の冷却側ノズル部２２ａへ流入する。冷却側ノズル部２２ａへ流入した冷媒は、等エントロピ的に減圧されて噴射される（図８のｈ８点→ｉ８点）。そして、冷却側ノズル部２２ａから噴射された冷却側噴射冷媒の吸引作用によって、室内蒸発器２１の一方の冷媒出入口から流出した冷媒が、冷却側エジェクタ２２の冷却側冷媒吸引口２２ｃから吸引される。
【０１２１】
冷却側ノズル部２２ａから噴射された冷却側噴射冷媒および冷却側エジェクタ２２の冷却側冷媒吸引口２２ｃから吸引された冷却側吸引冷媒は、冷却側ディフューザ部２２ｄへ流入する（図８のｉ８→ｊ８点、ｐ８点→ｊ８点）。
【０１２２】
冷却側ディフューザ部２２ｄでは、冷媒通路面積の拡大により、冷媒の速度エネルギが圧力エネルギに変換される。これにより、冷却側噴射冷媒と冷却側吸引冷媒との混合冷媒の圧力が上昇する（図８のｊ８点→ｋ８点）。冷却側ディフューザ部２２ｄから流出した冷媒は冷却側アキュムレータ２３へ流入して気液分離される。
【０１２３】
冷却側アキュムレータ２３にて分離された液相冷媒（図８のｍ８点）は、絞り状態となっている第６流量調整弁１５ｆへ流入して減圧される（図８のｍ８点→ｏ８点）。第６流量調整弁１５ｆにて減圧された冷媒は、室内蒸発器２１の他方の冷媒出入口から流入し、送風機３２から送風された送風空気から吸熱して蒸発する（図８のｏ８点→ｐ８点）。これにより、送風空気が冷却される。
【０１２４】
冷却側アキュムレータ２３にて分離された気相冷媒（図８のｎ８点）は、第２四方弁１３ｂ、吸入側アキュムレータ２４等を介して圧縮機１１へ吸入されて再び圧縮される（図８のｎ８点→ａ８点）。
【０１２５】
従って、冷房モードでは、室内蒸発器２１にて冷却された送風空気を、室内凝縮器１２にて再加熱することなく車室内へ吹き出すことによって、車室内の冷房を行うことができる。
【０１２６】
さらに、冷房モードでは、冷却側エジェクタ２２の冷却側ディフューザ部２２ｄにて昇圧された冷媒を圧縮機１１へ吸入させている。従って、蒸発器として機能する熱交換器（冷房モードでは、室内蒸発器２１）における冷媒蒸発圧力と圧縮機１１の吸入冷媒の圧力が同等となる通常の冷凍サイクル装置よりも圧縮機１１の消費動力を低減させて、サイクルの成績係数ＣＯＰを向上させることができる。
【０１２７】
（ｂ）第１除湿暖房モード
第１除湿暖房モードでは、空調制御装置４０が、室内凝縮器１２の冷媒出口側と第１三方継手１４ａ側とを接続すると同時に第２四方弁１３ｂ側と第３三方継手１４ｃ側とを接続する冷媒回路に切り替えるように第１四方弁１３ａの作動を制御する。さらに、加熱側アキュムレータ１９の気相冷媒出入口側と第１四方弁１３ａ側とを接続すると同時に冷却側アキュムレータ２３の気相冷媒出入口側と吸入側アキュムレータ２４の入口側とを接続する冷媒回路に切り替えるように第２四方弁１３ｂの作動を制御する。
【０１２８】
また、空調制御装置４０は、第１流量調整弁１５ａを全閉状態とし、第２流量調整弁１５ｂを絞り状態とし、第３流量調整弁１５ｃを全開状態とし、第４流量調整弁１５ｄを全閉状態とし、第５流量調整弁１５ｅ絞り状態とし、第６流量調整弁１５ｆを全開状態とする。さらに、空調制御装置４０は、第１開閉弁１８ａを閉じ、第２開閉弁１８ｂを閉じる。
【０１２９】
これにより、第１除湿暖房モードでは、図３の実線矢印に示すように、圧縮機１１→室内凝縮器１２→第２流量調整弁１５ｂ→室外熱交換器１７（→第３流量調整弁１５ｃ）→加熱側アキュムレータ１９→第５流量調整弁１５ｅ→室内蒸発器２１（→第６流量調整弁１５ｆ）→冷却側アキュムレータ２３→吸入側アキュムレータ２４→圧縮機１１の順に冷媒が循環する冷凍サイクルが構成される。
【０１３０】
従って、第１除湿暖房モードでは、室内凝縮器１２、室外熱交換器１７、および室内蒸発器２１が冷媒流れに対してこの順で直列に接続される。
【０１３１】
空調制御装置４０は、この冷媒回路の構成で、目標吹出温度ＴＡＯ、センサ群の検出信号等に基づいて、各種制御対象機器の作動状態（各種制御対象機器へ出力する制御信号）を決定する。
【０１３２】
例えば、第２流量調整弁１５ｂの絞り開度、すなわち第２流量調整弁１５ｂへ出力される制御信号（制御パルス）については、目標吹出温度ＴＡＯに基づいて、予め空調制御装置４０に記憶された制御マップを参照して決定される。具体的には、目標吹出温度ＴＡＯの上昇に伴って、絞り開度が減少するように決定される。換言すると、サイクルに要求される加熱能力の上昇に伴って、絞り開度が減少するように決定される。
【０１３３】
また、第５流量調整弁１５ｅの絞り開度、すなわち第５流量調整弁１５ｅへ出力される制御信号（制御パルス）については、目標吹出温度ＴＡＯに基づいて、予め空調制御装置４０に記憶された制御マップを参照して決定される。具体的には、エジェクタ式冷凍サイクル１０のＣＯＰが極大値に近づくように決定される。
【０１３４】
このため、第５流量調整弁１５ｅの絞り開度は、第２流量調整弁１５ｂの絞り開度が減少するに伴って増加する。換言すると、第５流量調整弁１５ｅの絞り開度は、サイクルに要求される加熱能力の上昇に伴って、増加するように決定される。
【０１３５】
また、エアミックスドア３４の開度、すなわちエアミックスドア３４を駆動する電動アクチュエータへ出力される制御信号については、空調風温度センサ４７によって検出された送風空気温度ＴＡＶが目標吹出温度ＴＡＯに近づくように決定される。その他の制御対象機器の作動状態は、冷房モードと同様に決定される。
【０１３６】
従って、第１除湿暖房モード時のエジェクタ式冷凍サイクル１０では、図９のモリエル線図に示すように冷媒の状態が変化する。図９のモリエル線図では、冷房モードで説明した図８のモリエル線図とサイクル構成上同等の箇所の冷媒の状態を、図８と同一の符号（アルファベット）で示し、添字（数字）のみを変更している。このことは、以下で説明する他のモリエル線図においても同様である。
【０１３７】
具体的には、第１除湿暖房モードでは、エアミックスドア３４が室内凝縮器１２側の送風空気通路を開くので、圧縮機１１から吐出された高圧冷媒（図９のａ９点）が、室内凝縮器１２へ流入し、室内蒸発器２１にて冷却されて除湿された送風空気の一部と熱交換して放熱する（図９のａ９点→ｂ９点）。これにより、送風空気の一部が加熱される。
【０１３８】
室内凝縮器１２から流出した冷媒は、第１四方弁１３ａ等を介して、第２流量調整弁１５ｂへ流入して減圧される（図９のｂ９点→ｃ９点）。第２流量調整弁１５ｂにて減圧された冷媒は、室外熱交換器１７の一方の冷媒出入口へ流入する。
【０１３９】
ここで、室外熱交換器温度Ｔｏｕｔが外気温Ｔａｍよりも高くなっている場合には、図９に示すように、室外熱交換器１７へ流入した冷媒は、室外熱交換器１７にて送風ファンから送風された外気へ放熱する（図９のｃ９点→ｅ９点）。一方、室外熱交換器温度Ｔｏｕｔが外気温Ｔａｍよりも低くなっている場合には、室外熱交換器１７へ流入した冷媒は、室外熱交換器１７にて送風ファンから送風された外気から吸熱する。
【０１４０】
室外熱交換器１７の他方の冷媒出入口から流出した冷媒は、加熱側アキュムレータ１９、第２四方弁１３ｂ、第１四方弁１３ａ等を介して、第５流量調整弁１５ｅへ流入して減圧される（図９のｅ９点→ｐ９点）。
【０１４１】
第５流量調整弁１５ｅにて減圧された冷媒は、室内蒸発器２１の一方の冷媒出入口へ流入し、送風機３２から送風された送風空気吐と熱交換して蒸発する（図９のｐ９点→ｎ９点）。これにより、送風空気が冷却される。室内蒸発器２１の他方の冷媒出入口から流出した冷媒は、冷却側アキュムレータ２３、第２四方弁１３ｂ、吸入側アキュムレータ２４等を介して圧縮機１１へ吸入されて再び圧縮される（図９のｎ９点→ａ９点）。
【０１４２】
従って、第１除湿暖房モードでは、室内蒸発器２１にて冷却されて除湿された送風空気を室内凝縮器１２にて再加熱して車室内へ吹き出すことによって、車室内の除湿暖房を行うことができる。
【０１４３】
また、第１除湿暖房モードでは、第１流量調整弁１５ａを絞り状態とすることによって、冷房モードよりも室外熱交換器１７へ流入する冷媒の温度を低下させている。従って、冷房モードよりも室外熱交換器１７における冷媒の温度と外気温との温度差を縮小することができ、第１除湿暖房モードよりも、室外熱交換器１７における冷媒の放熱量を低減させることができる。
【０１４４】
これにより、単に冷房モード時に送風空気温度ＴＡＶが目標吹出温度ＴＡＯに近づくようにエアミックスドア３４の作動を制御する場合に対して、サイクルを循環する循環冷媒流量を増加させることなく、室内凝縮器１２における冷媒圧力を上昇させて、室内凝縮器１２における送風空気の加熱能力を向上させることができる。
【０１４５】
（ｃ）第２除湿暖房モード
第２除湿暖房モードでは、空調制御装置４０が、室内凝縮器１２の冷媒出口側と第３三方継手１４ｃ側とを接続すると同時に第２四方弁１３ｂ側と第１三方継手１４ａ側とを接続する冷媒回路に切り替えるように第１四方弁１３ａの作動を制御する。さらに、加熱側アキュムレータ１９の気相冷媒出入口側と吸入側アキュムレータ２４の入口側とを接続すると同時に冷却側アキュムレータ２３の気相冷媒出入口側と第１四方弁１３ａ側とを接続する冷媒回路に切り替えるように第２四方弁１３ｂの作動を制御する。
【０１４６】
また、空調制御装置４０は、第１流量調整弁１５ａを全閉状態とし、第２流量調整弁１５ｂを絞り状態とし、第３流量調整弁１５ｃを全開状態とし、第４流量調整弁１５ｄを全閉状態とし、第５流量調整弁１５ｅ絞り状態とし、第６流量調整弁１５ｆを全開状態とする。さらに、空調制御装置４０は、第１開閉弁１８ａを閉じ、第２開閉弁１８ｂを閉じる。
【０１４７】
これにより、第２除湿暖房モードでは、図４の実線矢印に示すように、圧縮機１１→室内凝縮器１２→第５流量調整弁１５ｅ→室内蒸発器２１（→第６流量調整弁１５ｆ）→冷却側アキュムレータ２３→第２流量調整弁１５ｂ→室外熱交換器１７（→第３流量調整弁１５ｃ）→加熱側アキュムレータ１９→吸入側アキュムレータ２４→圧縮機１１の順に冷媒が循環する冷凍サイクルが構成される。
【０１４８】
従って、第２除湿暖房モードでは、室内凝縮器１２、室内蒸発器２１、および室外熱交換器１７が冷媒流れに対してこの順で直列に接続される。
【０１４９】
空調制御装置４０は、この冷媒回路の構成で、目標吹出温度ＴＡＯ、センサ群の検出信号等に基づいて、各種制御対象機器の作動状態（各種制御対象機器へ出力する制御信号）を決定する。
【０１５０】
例えば、第５流量調整弁１５ｅの絞り開度、すなわち第５流量調整弁１５ｅへ出力される制御信号（制御パルス）については、目標吹出温度ＴＡＯに基づいて、予め空調制御装置４０に記憶された制御マップを参照して決定される。具体的には、目標吹出温度ＴＡＯの上昇に伴って、絞り開度が減少するように決定される。換言すると、サイクルに要求される加熱能力の上昇に伴って、絞り開度が減少するように決定される。
【０１５１】
また、第２流量調整弁１５ｂの絞り開度、すなわち第２流量調整弁１５ｂへ出力される制御信号（制御パルス）については、目標吹出温度ＴＡＯに基づいて、予め空調制御装置４０に記憶された制御マップを参照して決定される。具体的には、エジェクタ式冷凍サイクル１０のＣＯＰが極大値に近づくように決定される。
【０１５２】
このため、第２流量調整弁１５ｂの絞り開度は、第５流量調整弁１５ｅの絞り開度が減少するに伴って増加する。換言すると、サイクルに要求される加熱能力の上昇に伴って、絞り開度が増加するように決定される。
【０１５３】
また、エアミックスドア３４の開度、すなわちエアミックスドア３４を駆動する電動アクチュエータへ出力される制御信号については、空調風温度センサ４７によって検出された送風空気温度ＴＡＶが目標吹出温度ＴＡＯに近づくように決定される。その他の制御対象機器の作動状態は、冷房モードと同様に決定される。
【０１５４】
従って、第２除湿暖房モード時のエジェクタ式冷凍サイクル１０では、図１０のモリエル線図に示すように冷媒の状態が変化する。
【０１５５】
具体的には、第２除湿暖房モードでは、エアミックスドア３４が室内凝縮器１２側の送風空気通路を開くので、圧縮機１１から吐出された高圧冷媒（図１０のａ１０点）が、室内凝縮器１２へ流入し、室内蒸発器２１にて冷却されて除湿された送風空気の一部と熱交換して放熱する（図１０のａ１０点→ｂ１０点）。これにより、送風空気の一部が加熱される。
【０１５６】
室内凝縮器１２から流出した冷媒は、第１四方弁１３ａ等を介して、第５流量調整弁１５ｅへ流入して減圧される（図１０のｂ１０点→ｐ１０点）。第５流量調整弁１５ｅにて減圧された冷媒は、室内蒸発器２１の一方の冷媒出入口へ流入する。室内蒸発器２１へ流入した冷媒は、送風機３２から送風された送風空気と熱交換して蒸発する（図１０のｐ１０点→ｎ１０点）。これにより、送風空気が冷却される。
【０１５７】
室内蒸発器２１の他方の冷媒出入口から流出した冷媒は、冷却側アキュムレータ２３、第２四方弁１３ｂ、第１四方弁１３ａ等を介して、第２流量調整弁１５ｂへ流入して減圧される（図１０のｎ１０点→ｃ１０点）。
【０１５８】
第２流量調整弁１５ｂにて減圧された冷媒は、室外熱交換器１７の一方の冷媒出入口へ流入し、送風ファンから送風された外気から吸熱する（図１０のｃ１０点→ｆ１０点）。室外熱交換器１７の他方の冷媒出入口から流出した冷媒は、加熱側アキュムレータ１９、第２四方弁１３ｂ、吸入側アキュムレータ２４等を介して圧縮機１１へ吸入されて再び圧縮される（図１０のｆ１０点→ａ１０点）。
【０１５９】
従って、第２除湿暖房モードでは、室内蒸発器２１にて冷却されて除湿された送風空気を室内凝縮器１２にて再加熱して車室内へ吹き出すことによって、車室内の除湿暖房を行うことができる。
【０１６０】
また、第２除湿暖房モードでは、室外熱交換器１７を蒸発器として機能させるとともに、室外熱交換器１７における冷媒蒸発圧力を室内蒸発器２１における冷媒蒸発圧力よりも低くしている。従って、第１除湿暖房モードよりも室内凝縮器１２における冷媒の放熱量を増加させることができる。
【０１６１】
これにより、第１除湿暖房モードに対して、サイクルを循環する循環冷媒流量を増加させることなく、室内凝縮器１２における冷媒圧力を上昇させることができる。その結果、室内凝縮器１２における送風空気の加熱能力を向上させて、送風空気を第１除湿暖房モードよりも高い温度帯まで昇温させることができる。
【０１６２】
また、以上の説明から明らかなように、第１除湿暖房モード時の室外熱交換器１７における冷媒の流れ方向と第２除湿暖房モード時の室外熱交換器１７における冷媒の流れ方向は同一になっている。すなわち、第１、第２除湿暖房モード時の室外熱交換器１７では、一方の冷媒出入口側から他方の冷媒出入口側へ向かって冷媒が流れる。
【０１６３】
さらに、第１除湿暖房モード時の室内蒸発器２１における冷媒の流れ方向と第２除湿暖房モード時の室内蒸発器２１における冷媒の流れ方向は同一になっている。すなわち、第１、第２除湿暖房モード時の室内蒸発器２１では、一方の冷媒出入口側から他方の冷媒出入口側へ向かって冷媒が流れる。
【０１６４】
さらに、第１、第２除湿暖房モード時の室内蒸発器２１における冷媒の流れ方向と冷房モード時の室内蒸発器２１における冷媒の流れ方向は異なっている。すなわち、冷媒モード時の室内蒸発器２１では、他方の冷媒出入口側から一方の冷媒出入口側へ向かって冷媒が流れる。
【０１６５】
（ｄ）暖房モード
暖房モードでは、空調制御装置４０が、室内凝縮器１２の冷媒出口側と第１三方継手１４ａ側とを接続すると同時に第２四方弁１３ｂ側と第３三方継手１４ｃ側とを接続する冷媒回路に切り替えるように第１四方弁１３ａの作動を制御する。さらに、加熱側アキュムレータ１９の気相冷媒出入口側と吸入側アキュムレータ２４の入口側とを接続すると同時に冷却側アキュムレータ２３の気相冷媒出入口側と第１四方弁１３ａ側とを接続する冷媒回路に切り替えるように第２四方弁１３ｂの作動を制御する。
【０１６６】
また、空調制御装置４０は、第１流量調整弁１５ａを絞り状態とし、第２流量調整弁１５ｂを全閉状態とし、第３流量調整弁１５ｃを絞り状態とし、さらに、第１開閉弁１８ａを開く。
【０１６７】
これにより、暖房モードでは、図５の実線矢印に示すように、圧縮機１１→室内凝縮器１２→第１流量調整弁１５ａ→加熱側エジェクタ１６→加熱側アキュムレータ１９→吸入側アキュムレータ２４→圧縮機１１の順に冷媒が循環するとともに、加熱側アキュムレータ１９→第３流量調整弁１５ｃ→室外熱交換器１７→加熱側エジェクタ１６の加熱側冷媒吸引口１６ｃの順に冷媒が循環するエジェクタ式冷凍サイクルが構成される。
【０１６８】
空調制御装置４０は、この冷媒回路の構成で、目標吹出温度ＴＡＯ、センサ群の検出信号等に基づいて、各種制御対象機器の作動状態（各種制御対象機器へ出力する制御信号）を決定する。
【０１６９】
例えば、圧縮機１１の冷媒吐出能力については、すなわち圧縮機１１の電動モータに出力される制御信号については、次のように決定される。まず、目標吹出温度ＴＡＯに基づいて、予め空調制御装置４０に記憶された制御マップを参照して、室内凝縮器１２の目標凝縮器温度ＴＣＯを決定する。
【０１７０】
そして、この目標凝縮器温度ＴＣＯと吐出温度センサ４５によって検出された吐出冷媒温度Ｔｄとの偏差に基づいて、フィードバック制御手法を用いて吐出冷媒温度Ｔｄが目標凝縮器温度ＴＣＯに近づくように、圧縮機１１の電動モータに出力される制御信号が決定される。
【０１７１】
また、第１流量調整弁１５ａの絞り開度については、すなわち第１流量調整弁１５ａへ出力される制御信号（制御パルス）については、圧縮機１１の冷媒吐出能力（例えば、圧縮機１１の電動モータに出力される制御信号）に基づいて、予め空調制御装置４０に記憶された制御マップを参照して決定される。
【０１７２】
この制御マップでは、加熱側ノズル部１６ａへ流入する冷媒の乾き度ｘが０．５以上かつ０．８以下となるように、第１流量調整弁１５ａの絞り開度を決定している。この乾き度ｘの範囲は、室内凝縮器１２における送風空気の加熱能力を極大値に近づけることができる値として、予め実験的に得られた値である。
【０１７３】
また、第３流量調整弁１５ｃの絞り開度、すなわち第３流量調整弁１５ｃへ出力される制御信号（制御パルス）については、予め空調制御装置４０に記憶された暖房用の基準開度に決定される。
【０１７４】
また、エアミックスドア３４を駆動する電動アクチュエータへ出力される制御信号については、室内蒸発器２１通過後の送風空気の全流量が室内凝縮器１２側の空気通路を流れるように決定される。
【０１７５】
従って、暖房モード時のエジェクタ式冷凍サイクル１０では、図１１のモリエル線図に示すように冷媒の状態が変化する。
【０１７６】
具体的には、暖房モードでは、エアミックスドア３４が室内凝縮器１２側の送風空気通路を全開とするので、圧縮機１１から吐出された高圧冷媒（図１１のａ１１点）が、室内凝縮器１２へ流入して送風空気と熱交換して放熱する（図１１のａ１１点→ｂ１１点）。これにより、送風空気が加熱される。
【０１７７】
室内凝縮器１２から流出した冷媒は、第１四方弁１３ａを介して、第１流量調整弁１５ａへ流入して減圧される（図１１のｂ１１点→ｒ１１点）。これにより、加熱側ノズル部１６ａへ流入する冷媒の乾き度ｘが０．５以上かつ０．８以下に調整される。
【０１７８】
第１流量調整弁１５ａにて減圧された冷媒は、加熱側エジェクタ１６の加熱側ノズル部１６ａへ流入する。加熱側ノズル部１６ａへ流入した冷媒は、等エントロピ的に減圧されて噴射される（図１１のｒ１１点→ｓ１１点）。そして、この加熱側噴射冷媒の吸引作用によって、室外熱交換器１７の一方の冷媒出入口から流出した冷媒が、加熱側エジェクタ１６の加熱側冷媒吸引口１６ｃから吸引される。
【０１７９】
加熱側ノズル部１６ａから噴射された加熱側噴射冷媒および加熱側エジェクタ１６の加熱側冷媒吸引口１６ｃから吸引された加熱側吸引冷媒は、加熱側ディフューザ部１６ｄへ流入する（図１１のｓ１１→ｔ１１点、ｃ１１点→ｔ１１点）。
【０１８０】
加熱側ディフューザ部１６ｄでは、冷媒通路面積の拡大により、冷媒の速度エネルギが圧力エネルギに変換される。これにより、加熱側噴射冷媒と加熱側吸引冷媒との混合冷媒の圧力が上昇する（図１１のｔ１１点→ｕ１１点）。加熱側ディフューザ部１６ｄから流出した冷媒は加熱側アキュムレータ１９へ流入して気液分離される。
【０１８１】
加熱側アキュムレータ１９にて分離された液相冷媒（図１１のｅ１１点）は、絞り状態となっている第３流量調整弁１５ｃへ流入して減圧される（図１１のｅ１１点→ｄ１１点）。第３流量調整弁１５ｃにて減圧された冷媒は、室外熱交換器１７の他方の冷媒出入口から流入し、送風ファンから送風された外気から吸熱して蒸発する（図１１のｄ１１点→ｃ１１点）。
【０１８２】
加熱側アキュムレータ１９にて分離された気相冷媒（図１１のｆ１１点）は、第２四方弁１３ｂ、吸入側アキュムレータ２４等を介して圧縮機１１へ吸入されて再び圧縮される（図１１のｆ１１点→ａ１１点）。
【０１８３】
従って、暖房モードでは、室内凝縮器１２にて加熱された送風空気を車室内へ吹き出すことによって、車室内の暖房を行うことができる。
【０１８４】
さらに、暖房モードでは、加熱側エジェクタ１６の加熱側ディフューザ部１６ｄにて昇圧された冷媒を圧縮機１１へ吸入させている。従って、蒸発器として機能する熱交換器（暖房モードでは、室外熱交換器１７）における冷媒蒸発圧力と圧縮機１１の吸入冷媒の圧力が同等となる通常の冷凍サイクル装置よりも圧縮機１１の消費動力を低減させて、ＣＯＰを向上させることができる。
【０１８５】
また、以上の説明から明らかなように、第１、第２除湿暖房モード時の室外熱交換器１７における冷媒の流れ方向と暖房モード時の室外熱交換器１７における冷媒の流れ方向は異なっている。すなわち、暖房モード時の室外熱交換器１７では、他方の冷媒出入口側から一方の冷媒出入口側へ向かって冷媒が流れる。
【０１８６】
ここで、エジェクタ式冷凍サイクル１０の第２除湿暖房モードや暖房モードのように、エジェクタ式冷凍サイクル１０の室外熱交換器１７を蒸発器として機能させる冷媒回路では、室外熱交換器１７の冷媒蒸発温度が氷点下（０℃以下）になってしまうと、室外熱交換器１７に着霜が生じてしまうことがある。
【０１８７】
このような着霜が生じると室外熱交換器１７の外気通路が霜によって閉塞されてしまうので、室外熱交換器１７の熱交換性能が低下してしまう。従って、室外熱交換器１７にて冷媒が外気から吸熱する吸熱量が低下して、エジェクタ式冷凍サイクル１０が、送風空気を充分に加熱できなくなってしまう。
【０１８８】
これに対して、本実施形態の車両用空調装置１では、エジェクタ式冷凍サイクル１０の室外熱交換器１７に着霜が生じた際に、これを取り除くための除霜モードの運転を実行することができる。
【０１８９】
具体的には、本実施形態では、外気温Ｔａｍが０℃以下となっており、さらに、外気温Ｔａｍから室外熱交換器温度Ｔｏｕｔを減算した値（Ｔａｍ−Ｔｏｕｔ）が予め定めた基準温度差以上となっている際に、室外熱交換器１７に着霜が生じたと判定する。そして、予め定めた基準時間が経過するまで、除霜モードの運転を実行する。以下に除霜モードにおける作動を説明する。
【０１９０】
（ｅ）除霜モード
除霜モードでは、空調制御装置４０が、室内凝縮器１２の冷媒出口側と第１三方継手１４ａ側とを接続すると同時に第２四方弁１３ｂ側と第３三方継手１４ｃ側とを接続する冷媒回路に切り替えるように第１四方弁１３ａの作動を制御する。さらに、加熱側アキュムレータ１９の気相冷媒出入口側と吸入側アキュムレータ２４の入口側とを接続すると同時に冷却側アキュムレータ２３の気相冷媒出入口側と第１四方弁１３ａ側とを接続する冷媒回路に切り替えるように第２四方弁１３ｂの作動を制御する。
【０１９１】
また、空調制御装置４０は、第１流量調整弁１５ａを全閉状態とし、第２流量調整弁１５ｂを絞り状態とし、第３流量調整弁１５ｃを全開状態とし、さらに、第１開閉弁１８ａを閉じる。
【０１９２】
これにより、除霜モードでは、図６の実線矢印に示すように、圧縮機１１→室内凝縮器１２→第２流量調整弁１５ｂ→室外熱交換器１７（→第３流量調整弁１５ｃ）→加熱側アキュムレータ１９→吸入側アキュムレータ２４→圧縮機１１の順に冷媒が循環する。
【０１９３】
空調制御装置４０は、この冷媒回路の構成で、目標吹出温度ＴＡＯ、センサ群の検出信号等に基づいて、各種制御対象機器の作動状態（各種制御対象機器へ出力する制御信号）を決定する。
【０１９４】
例えば、圧縮機１１の冷媒吐出能力、すなわち圧縮機１１の電動モータに出力される制御信号については、予め空調制御装置４０に記憶された除霜用の冷媒吐出能力が発揮されるように決定される。また、第２流量調整弁１５ｂの絞り開度、すなわち第２流量調整弁１５ｂへ出力される制御信号（制御パルス）については、予め空調制御装置４０に記憶された除霜用の基準開度となるように決定される。
【０１９５】
また、エアミックスドア３４を駆動する電動アクチュエータへ出力される制御信号については、エアミックスドア３４が室内凝縮器１２側の空気通路を閉塞し、室内蒸発器２１通過後の送風空気の全流量が室内凝縮器１２を迂回して流れるように決定される。
【０１９６】
従って、除霜モード時のエジェクタ式冷凍サイクル１０では、図１２のモリエル線図に示すように冷媒の状態が変化する。
【０１９７】
具体的には、圧縮機１１から吐出された高圧冷媒（図１２のａ１２点）が、室内凝縮器１２へ流入する。この際、エアミックスドア３４が室内凝縮器１２側の空気通路を閉塞しているので、室内凝縮器１２へ流入した冷媒は、殆ど送風空気と熱交換することなく室内凝縮器１２から流出する。
【０１９８】
室内凝縮器１２から流出した冷媒は、第１四方弁１３ａを介して、第２流量調整弁１５ｂへ流入して減圧される（図１２のａ１２点→ｃ１２点）。第２流量調整弁１５ｂにて減圧された冷媒は、室外熱交換器１７の一方の冷媒出入口へ流入して、室外熱交換器１７へ放熱する（図１２のｃ１２点→ｆ１２点）。これにより、室外熱交換器１７の除霜がなされる。
【０１９９】
室外熱交換器１７から流出した冷媒は、全開となっている全開となっている第２流量調整弁１５ｂ、加熱側アキュムレータ１９、第２四方弁１３ｂ、吸入側アキュムレータ２４を介して、圧縮機１１へ吸入されて再び圧縮される（図１２のｆ１２点→ａ１２点）。
【０２００】
以上の如く、本実施形態のエジェクタ式冷凍サイクル１０によれば、車両用空調装置１において、冷房モード、第１除湿暖房モード、第２除湿暖房モード、および暖房モードでの運転に切り替えることで、車室内の適切な空調を実現することができる。さらに、本実施形態のエジェクタ式冷凍サイクル１０では、除霜モードの冷媒回路に切り替えることができるので、室外熱交換器１７に着霜が生じた際にこれを取り除くことができる。
【０２０１】
さらに、本実施形態のエジェクタ式冷凍サイクル１０では、車室内の除湿暖房時における送風空気の温度調整範囲を拡大させることができる。
【０２０２】
このことをより詳細に説明すると、従来技術のエジェクタ式冷凍サイクルでは、室外熱交換器と室内蒸発器とを冷媒流れに対して直列的に接続して除湿暖房を行う際には、エジェクタ式冷凍サイクルを適切に作動させるために、室外熱交換器における冷媒圧力を所定の値以上に維持しておく必要があった。このため、除湿暖房時に車室内へ吹き出される送風空気の温度（吹出空気温度）を調整することのできない範囲が存在していた。
【０２０３】
具体的には、従来技術のエジェクタ式冷凍サイクルでは、室外熱交換器と室内蒸発器とを冷媒流れに対して直列的に接続する冷媒回路に切り替えた際には、図１３の範囲Ａ内で吹出空気温度を調整することができた。また、室外熱交換器と室内蒸発器とを冷媒流れに対して並列的に接続する冷媒回路に切り替えた際には、図１３の範囲Ｃ内で吹出空気温度を調整することができた。
【０２０４】
換言すると、従来技術のエジェクタ式冷凍サイクルでは、図１３の範囲Ｂ内で吹出空気温度を調整することができなかった。
【０２０５】
これに対して、本実施形態のエジェクタ式冷凍サイクル１０では、第１、第２除湿暖房モード時に、室外熱交換器１７と室内蒸発器２１が冷媒流れに対して直列に接続される冷媒回路に切り替える。従って、室外熱交換器１７における冷媒圧力によらず、圧縮機１１の吸入吐出作用によって、冷媒を室外熱交換器１７および室内蒸発器２１へ確実に供給することができる。
【０２０６】
さらに、第１除湿暖房モード時には、室外熱交換器１７が第２減圧装置である第５流量調整弁１５ｅを介して室内蒸発器２１よりも冷媒流れ上流側に配置されるので、室外熱交換器１７における冷媒温度を室内蒸発器２１における冷媒温度よりも高い温度帯で調整することができる。
【０２０７】
従って、第５流量調整弁１５ｅの絞り開度を調整して、室外熱交換器１７における冷媒の吸放熱量を調整することで、室内凝縮器１２における冷媒放熱量を調整することができる。これにより、第１除湿暖房モードでは、吹出空気温度の調整範囲を図１３の範囲αに拡大することができることが判っている。
【０２０８】
さらに、第２除湿暖房モード時には、室外熱交換器１７が第１減圧装置である第２流量調整弁１５ｂを介して室内蒸発器２１よりも冷媒流れ下流側に配置されるので、室外熱交換器１７における冷媒温度を室内蒸発器２１における冷媒温度よりも低い温度帯とすることができる。
【０２０９】
従って、第２流量調整弁１５ｂの絞り開度を調整することで、室外熱交換器１７における冷媒の吸熱量を増加させて、室内凝縮器１２にて第１除湿暖房モードよりも高い加熱能力で送風空気を加熱することができる。これにより、第２除湿暖房モードでは、吹出空気温度の調整範囲を図１３の範囲βに拡大することができることが判っている。
【０２１０】
その結果、本実施形態のエジェクタ式冷凍サイクル１０によれば、車室内の除湿暖房を行う際に、第１除湿暖房モードおよび第２除湿暖房モードを切り替えることで、幅広い温度帯で送風空気の温度を調整することができる。
【０２１１】
また、本実施形態のエジェクタ式冷凍サイクル１０では、第１、第２除湿暖房モード時の室外熱交換器１７における冷媒の流れ方向と暖房モード時の室外熱交換器１７における冷媒の流れ方向が異なっている。これによれば、第１、第２除湿暖房モード時の室外熱交換器１７内の冷媒の流れ態様と暖房モード時の室外熱交換器１７内の冷媒の流れ態様とを変化させて、室外熱交換器１７内に冷凍機油が滞留してしまうことを抑制することができる。
【０２１２】
具体的には、本実施形態では、室外熱交換器１７の内部に形成される冷媒通路の通路断面積を、暖房モード時における冷媒入口（他方の冷媒出入口）側から冷媒出口（一方の冷媒出入口）側へ向かうに伴って縮小させている。これにより、暖房モード時に室外熱交換器１７を流通する冷媒の流速を増加させて、室外熱交換器１７内に冷凍機油が滞留してしまうことを抑制することができる。
【０２１３】
より詳細には、暖房モード時の室外熱交換器１７は蒸発器として機能する。従って、室外熱交換器１７内の冷媒通路では、冷媒入口側から冷媒出口側へ向かって液相冷媒が気化することによって冷媒の密度が低下する。従って、室外熱交換器１７の冷媒入口側から冷媒出口側へ向かって冷媒通路の通路断面積を縮小させることで、室外熱交換器１７を流通する冷媒の流速を増加させて、室外熱交換器１７内に滞留している冷凍機油を室外熱交換器１７から排出することができる。
【０２１４】
また、本実施形態のエジェクタ式冷凍サイクル１０では、第１、第２除湿暖房モード時の室内蒸発器２１における冷媒の流れ方向と冷房モード時の室内蒸発器２１における冷媒の流れ方向が異なっている。これによれば、第１、第２除湿暖房モード時の室内蒸発器２１内の冷媒の流れ態様と暖房モード時の室外熱交換器１７内の冷媒の流れ態様とを変化させて、室内蒸発器２１内に冷凍機油が滞留してしまうことを抑制することができる。
【０２１５】
より詳細には、冷房モード時の室内蒸発器２１は蒸発器として機能する。従って、室内蒸発器２１内の冷媒通路では、冷媒入口側から冷媒出口側へ向かって液相冷媒が気化することによって冷媒の密度が低下する。従って、室内蒸発器２１の冷媒入口側から冷媒出口側へ向かって冷媒通路の通路断面積を縮小させることで、室内蒸発器２１を流通する冷媒の流速を増加させて、室内蒸発器２１内に滞留している冷凍機油を室外熱交換器１７から排出することができる。
【０２１６】
すなわち、本実施形態のエジェクタ式冷凍サイクル１０によれば、除湿暖房を行う空調装置に適用されるエジェクタ式冷凍サイクルにおいて、冷凍機油が室外熱交換器１７および室内蒸発器２１に滞留してしまうことを抑制しつつ、除湿暖房時に空調対象空間へ送風される送風空気の温度調整範囲を拡大することができる。
【０２１７】
（他の実施形態）
本発明は上述の実施形態に限定されることなく、本発明の趣旨を逸脱しない範囲内で、以下のように種々変形可能である。
【０２１８】
（１）上述の実施形態では、本発明に係るエジェクタ式冷凍サイクル１０を電気自動車用の空調装置に適用した例を説明したが、エジェクタ式冷凍サイクル１０の適用はこれに限定されない。例えば、内燃機関（エンジン）から車両走行用の駆動力を得る通常の車両や、内燃機関と走行用電動モータとの双方から車両走行用の駆動力を得るハイブリッド車両の空調装置に適用してもよい。
【０２１９】
内燃機関を有する車両に適用する場合は、車両用空調装置１に送風空気の補助加熱手段として内燃機関の冷却水を熱源として送風空気を加熱するヒータコアを設けてもよい。さらに、車両用に限定されることなく定置型空調装置に適用してもよい。
【０２２０】
また、上述の実施形態では、室内凝縮器１２にて、圧縮機１１吐出冷媒と送風空気とを熱交換させて、圧縮機１１吐出冷媒を熱源として直接的に送風空気を加熱するエジェクタ式冷凍サイクル１０のについて説明したが、室内凝縮器１２における送風空気の加熱態様はこれに限定されない。
【０２２１】
例えば、熱媒体を循環させる熱媒体循環回路を設け、室内放熱器を圧縮機吐出冷媒と熱媒体とを熱交換させる水−冷媒熱交換器として構成し、さらに、熱媒体循環回路に室内放熱器にて加熱された熱媒体と送風空気とを熱交換させて送風空気を加熱する加熱用の熱交換器を配置してもよい。つまり、室内放熱器は、圧縮機吐出冷媒（サイクルの高圧側冷媒）を熱源として、熱媒体を介して間接的に送風空気を加熱するものであってもよい。
【０２２２】
さらに、内燃機関を有する車両に適用する場合は、内燃機関の冷却水を熱媒体として、熱媒体循環回路を流通させるようにしてもよい。また、電気自動車においては、バッテリや電気機器を冷却する冷却水を熱媒体として、熱媒体循環回路を流通させるようにしてもよい。
【０２２３】
（２）上述の実施形態では、パス構成を変化させることで、室外熱交換器１７および室内蒸発器２１の内部に形成される冷媒通路の通路断面積を段階的に変化させた例を説明したが、各運転モード時における室外熱交換器１７内および室内蒸発器２１内の冷媒の流れ態様を変化させる手段はこれに限定されない。例えば、室外熱交換器１７および室内蒸発器２１を通路断面積の異なる複数種類のチューブを用いて構成してもよい。
【０２２４】
また、上述の実施形態では、室外熱交換器１７については、他方の冷媒出入口側から一方の冷媒出入口側へ向かうに伴って、冷媒通路の通路断面積を縮小させた例を説明したが、通路断面積の変化はこれに限定されない。
【０２２５】
例えば、第１、第２除湿暖房モード時の室外熱交換器１７における冷媒の流れ方向と暖房モード時の室外熱交換器１７における冷媒の流れ方向が異なっていることで、いずれかの運転モードで室外熱交換器１７内の冷凍機油を排出可能であれば、他方の冷媒出入口側から一方の冷媒出入口側へ向かうに伴って、冷媒通路の通路断面積を拡大させてもよい。すなわち、室外熱交換器１７の内部に形成される冷媒通路は、暖房モード時における冷媒入口側から冷媒出口側へ向かうに伴って通路断面積が拡大していてもよい。
【０２２６】
これによれば、室外熱交換器１７が蒸発器として機能する暖房モード時に、冷媒入口側から冷媒出口側へ向かって冷媒通路の通路断面積が拡大することになるので、冷媒が室外熱交換器１７を流通する際の圧力損失を低下させることができる。このことは、室内蒸発器２１についても同様である。すなわち、室内蒸発器２１の内部に形成される冷媒通路は、冷房モード時における冷媒入口側から冷媒出口側へ向かうに伴って通路断面積が拡大していてもよい。
【０２２７】
（３）エジェクタ式冷凍サイクル１０の各構成機器は、上述の実施形態に開示されたものに限定されない。
【０２２８】
例えば、上述の実施形態では、圧縮機１１として、電動圧縮機を採用した例を説明したが、圧縮機１１はこれに限定されない。例えば、圧縮機１１として、エンジン駆動式の可変容量型圧縮機等を採用してもよい。
【０２２９】
また、上述の実施形態では、室内凝縮器１２にて高圧冷媒と送風空気とを熱交換させることによって送風空気を加熱する例を説明したが、室内凝縮器１２に代えて、例えば、熱媒体を循環させる熱媒体循環回路を設け、この熱媒体循環回路に高圧冷媒と熱媒体とを熱交換させる水−冷媒熱交換器、および水−冷媒熱交換器にて加熱された熱媒体と送風空気とを熱交換させて送風空気を加熱する加熱用熱交換器等を配置してもよい。
【０２３０】
また、上述の実施形態では、冷媒回路切替装置として、複数の流量調整弁および開閉弁を採用した例を説明したが、冷媒回路切替装置はこれに限定されない。少なくとも上述した暖房モードの冷媒回路と直列除湿暖房モードの冷媒回路を切替可能であれば、例えば、全閉機能を有しない流量調整弁と開閉弁とを組み合わせたものや、四方弁等を採用してもよい。
【０２３１】
また、上述の実施形態で説明した各構成機器を一体化したものを採用してもよい。例えば、第１流量調整弁１５ａ、加熱側エジェクタ１６、加熱側アキュムレータ１９等を一体化（モジュール化）してもよい。この場合は、加熱側エジェクタ１６のノズル部１６ａの通路内にニードル状、あるいは円錐状の弁体を配置し、この弁体を変位させることで、第１流量調整弁１５ａと同様の機能を発揮させるようにしてもよい。
【０２３２】
同様に、第４流量調整弁１５ｄ、冷却側エジェクタ２２、冷却側アキュムレータ２３等を一体化（モジュール化）してもよい。
【０２３３】
また、上述の各実施形態のエジェクタ式冷凍サイクル１０の室内蒸発器２１の冷媒出口側に、室内蒸発器２１の冷媒蒸発圧力を予め定めた所定値以上とする蒸発圧力調整弁を配置してもよい。これによれば、室内蒸発器２１の着霜を機械的機構によって、より一層確実に防止することができる。
【０２３４】
また、上述の実施形態では、冷媒としてＲ１３４ａを採用した例を説明したが、冷媒はこれに限定されない。例えば、Ｒ１２３４ｙｆ、Ｒ６００ａ、Ｒ４１０Ａ、Ｒ４０４Ａ、Ｒ３２、Ｒ４０７Ｃ、等を採用してもよい。または、これらの冷媒のうち複数種を混合させた混合冷媒等を採用してもよい。
【０２３５】
（４）上述の実施形態の暖房モードの高加熱能力運転時には、圧縮機１１の冷媒吐出能力に基づいて第１流量調整弁１５ａの弁開度を調整した例を説明したが、第１流量調整弁１５ａの弁開度の調整はこれに限定されない。
【０２３６】
例えば、室内凝縮器１２出口側冷媒の乾き度を検出する乾き度センサを設け、この乾き度センサの検出値が０．５以上かつ０．８以下となるように第１流量調整弁１５ａの弁開度の弁開度を調整してもよい。また、エジェクタ式冷凍サイクル１０のＣＯＰが極大値に近づくように第１流量調整弁１５ａの弁開度を調整してもよい。
【０２３７】
（５）上述の実施形態では、空調制御プログラムを実行することによって、各運転モードを切り替えた例を説明したが、各運転モードの切り替えはこれに限定されない。例えば、操作パネル５０に各運転モードを設定する運転モード設定スイッチを設け、当該運転モード設定スイッチの操作信号に応じて、各暖房モードを切り替えるようにしてもよい。
【符号の説明】
【０２３８】
１１            圧縮機
１２            室内凝縮器（加熱用熱交換器）
１３ａ、１３ｂ  第１、第２四方弁（冷媒回路切替装置）
１５ｂ、１５ｅ  第２、第５流量調整弁（第１、第２減圧装置）
１６            加熱側エジェクタ
１７            室外熱交換器
１８ａ、１８ｂ  第１、第２開閉弁（冷媒回路切替装置）
１９            加熱側アキュムレータ（加熱側気液分離器）
２１            室内蒸発器（冷却用熱交換器）
２２            冷却側エジェクタ
２３            冷却側アキュムレータ（冷却側気液分離器）
【図１】
0006528733.tif 000002
【図２】
0006528733.tif 000003
【図３】
0006528733.tif 000004
【図４】
0006528733.tif 000005
【図５】
0006528733.tif 000006
【図６】
0006528733.tif 000007
【図７】
0006528733.tif 000008
【図８】
0006528733.tif 000009
【図９】
0006528733.tif 000010
【図１０】
0006528733.tif 000011
【図１１】
0006528733.tif 000012
【図１２】
0006528733.tif 000013
【図１３】
0006528733.tif 000014